(57)【要約】【課題】利便性の向上が図れる撮像装置を提供すること。【解決手段】撮像装置２は、被写体を撮像させる撮影操作を受け付ける入力部５１と、被写体を撮像して第１画像データを生成する第１撮像部と、入力部５１が撮影操作を受け付けた際に、第１撮像部に被写体を撮像させる撮像制御部５８２と、入力部５１が撮影操作を受け付けた際に、当該撮像装置２の撮影状況に関する撮影状況情報を生成する撮影状況情報生成部５８３と、第１画像データに関連する補助画像データを供給する外部の補助画像供給装置と通信を行う機器側通信部５７と、機器側通信部５７を介して、撮影状況情報を補助画像供給装置に送信するとともに、補助画像供給装置にて撮像された複数の補助画像データのうち撮影状況情報に基づいて抽出された補助画像データを補助画像供給装置から受信する機器側通信制御部５８１とを備える。【選択図】図３
2015201754.tif 000002
【特許請求の範囲】
【請求項１】
被写体を撮像する撮像装置において、
被写体を撮像させる撮影操作を受け付ける撮影操作部と、
被写体を撮像して第１画像データを生成する第１撮像部と、
前記撮影操作部が前記撮影操作を受け付けた際に、前記第１撮像部に被写体を撮像させる第１撮像制御部と、
前記撮影操作部が前記撮影操作を受け付けた際に、当該撮像装置の撮影状況に関する撮影状況情報を生成する撮影状況情報生成部と、
前記第１画像データに関連する補助画像データを供給する外部の補助画像供給装置と通信を行う通信部と、
前記通信部を介して、前記撮影状況情報を前記補助画像供給装置に送信するとともに、前記補助画像供給装置にて撮像された複数の前記補助画像データのうち前記撮影状況情報に基づいて抽出された前記補助画像データを前記補助画像供給装置から受信する通信制御部とを備える
ことを特徴とする撮像装置。
【請求項２】
被写体を撮像する撮像装置において、
被写体を撮像させる撮影操作を受け付ける撮影操作部と、
被写体を撮像して第１画像データを生成する第１撮像部と、
前記撮影操作部が前記撮影操作を受け付けた際に、前記第１撮像部に被写体を撮像させる第１撮像制御部と、
前記撮影操作部が前記撮影操作を受け付けた際に、当該撮像装置の撮影状況に関する撮影状況情報を生成する撮影状況情報生成部と、
前記第１画像データに関連する補助画像データを供給する外部の補助画像供給装置と通信を行う通信部と、
前記通信部を介して、前記撮影状況情報を前記補助画像供給装置に送信するとともに、前記補助画像供給装置により前記撮影状況情報に基づいて撮像された前記補助画像データを前記補助画像供給装置から受信する通信制御部とを備える
ことを特徴とする撮像装置。
【請求項３】
前記撮影操作部に対して前記撮影操作を行う撮影者を被写体として撮像し、第２画像データを生成する第２撮像部と、
前記撮影操作部が前記撮影操作を受け付けた際に、前記第２撮像部に撮影者を被写体として撮像させる第２撮像制御部とを備え、
前記撮影状況情報生成部は、
前記第２撮像部にて生成された前記第２画像データに含まれる撮影者に相当する被写体像の特徴に関する特徴情報を含む前記撮影状況情報を生成する
ことを特徴とする請求項１または２に記載の撮像装置。
【請求項４】
前記撮影操作部に対して前記撮影操作を行う撮影者を被写体として撮像し、第２画像データを生成する第２撮像部と、
前記撮影操作部が前記撮影操作を受け付けた際に、前記第２撮像部に撮影者を被写体として撮像させる第２撮像制御部とを備え、
前記撮影状況情報生成部は、
前記第２撮像部にて生成された前記第２画像データを含む前記撮影状況情報を生成する
ことを特徴とする請求項１または２に記載の撮像装置。
【請求項５】
当該撮像装置の現在位置に関する現在位置情報を取得する位置取得部を備え、
前記撮影状況情報生成部は、
前記撮影操作部が前記撮影操作を受け付けた際に、前記位置取得部にて取得された前記現在位置情報を含む前記撮影状況情報を生成する
ことを特徴とする請求項１または２に記載の撮像装置。
【請求項６】
前記補助画像供給装置は、
異なる場所に複数、設置され、
当該撮像装置は、
複数の前記補助画像供給装置のうち特定の前記補助画像供給装置と通信を行うための通信仕様情報を取得する通信仕様情報取得部を備え、
前記通信制御部は、
前記通信仕様情報取得部にて取得された前記通信仕様情報に基づいて、前記通信部を介して、前記特定の補助画像供給装置に前記撮影状況情報を送信するとともに、前記特定の補助画像供給装置から前記補助画像データを受信する
ことを特徴とする請求項１〜５のいずれか一つに記載の撮像装置。
【請求項７】
当該撮像装置の現在位置に関する現在位置情報を取得する位置取得部と、
前記複数の補助画像供給装置にそれぞれ対応する複数の前記通信仕様情報、及び前記複数の通信仕様情報にそれぞれ関連付けられた前記複数の補助画像供給装置の各設置位置に関する複数の設置位置情報を記憶する記憶部とを備え、
前記通信仕様情報取得部は、
前記位置取得部にて取得された前記現在位置情報、及び前記記憶部に記憶された前記複数の設置位置情報に基づいて、前記記憶部から前記特定の補助画像供給装置に対応する前記通信仕様情報を取得する
ことを特徴とする請求項６に記載の撮像装置。
【請求項８】
前記複数の補助画像供給装置がそれぞれ設置された各場所には、
当該場所に設置された前記補助画像供給装置に対応する前記通信仕様情報がコード化されたコード情報を表示するコード情報表示装置がそれぞれ設置され、
前記通信仕様情報取得部は、
前記第１撮像部による撮像で生成された前記第１画像データに含まれる前記コード情報に基づいて、前記特定の補助画像供給装置に対応する前記通信仕様情報を取得する
ことを特徴とする請求項６に記載の撮像装置。
【請求項９】
請求項１〜８のいずれか一つに記載の撮像装置と、
前記第１画像データに関連する前記補助画像データを供給する前記補助画像供給装置とを備える
ことを特徴とする撮像システム。
【請求項１０】
前記撮像装置は、
被写体を撮像させる撮影操作を受け付ける撮影操作部と、
被写体を撮像して前記第１画像データを生成する第１撮像部と、
前記撮影操作部が前記撮影操作を受け付けた際に、前記第１撮像部に被写体を撮像させる第１撮像制御部と、
前記撮影操作部が前記撮影操作を受け付けた際に、当該撮像装置の撮影状況に関する撮影状況情報を生成する撮影状況情報生成部と、
前記補助画像供給装置と通信を行う通信部と、
前記通信部を介して、前記撮影状況情報を前記補助画像供給装置に送信するとともに、前記補助画像供給装置にて撮像された複数の前記補助画像データのうち前記撮影状況情報に基づいて抽出された前記補助画像データを前記補助画像供給装置から受信する通信制御部とを備え、
前記補助画像供給装置は、
被写体を撮像して前記補助画像データを生成する補助撮像部と、
複数の前記補助画像データを記録する補助記録部と、
前記撮影状況情報に基づいて、前記補助記録部に記録された前記複数の補助画像データのうち前記第１画像データに関連する前記補助画像データを抽出するデータ抽出部と、
前記撮像装置と通信を行う補助通信部と、
前記補助通信部を介して、前記撮影状況情報を前記撮像装置から受信するとともに、前記データ抽出部にて抽出された前記補助画像データを前記撮像装置に送信する補助通信制御部とを備える
ことを特徴とする請求項９に記載の撮像システム。
【請求項１１】
前記撮像装置は、
被写体を撮像させる撮影操作を受け付ける撮影操作部と、
被写体を撮像して前記第１画像データを生成する第１撮像部と、
前記撮影操作部が前記撮影操作を受け付けた際に、前記第１撮像部に被写体を撮像させる第１撮像制御部と、
前記撮影操作部が前記撮影操作を受け付けた際に、当該撮像装置の撮影状況に関する撮影状況情報を生成する撮影状況情報生成部と、
前記補助画像供給装置と通信を行う通信部と、
前記通信部を介して、前記撮影状況情報を前記補助画像供給装置に送信するとともに、前記補助画像供給装置により前記撮影状況情報に基づいて撮像された前記補助画像データを前記補助画像供給装置から受信する通信制御部とを備え、
前記補助画像供給装置は、
被写体を撮像して前記補助画像データを生成する補助撮像部と、
前記撮影状況情報に基づいて、前記補助撮像部に撮像させ、前記第１画像データに関連する前記補助画像データを生成させる補助撮像制御部と、
前記撮像装置と通信を行う補助通信部と、
前記補助通信部を介して、前記撮影状況情報を前記撮像装置から受信するとともに、前記補助撮像部にて生成された前記補助画像データを前記撮像装置に送信する補助通信制御部とを備える
ことを特徴とする請求項９に記載の撮像システム。
【請求項１２】
前記補助画像供給装置は、
異なる場所に複数、設置され、
前記撮影状況情報は、
前記撮像装置の現在位置に関する現在位置情報を含んで構成され、
前記補助画像供給装置は、
当該補助画像供給装置の設置位置に関する設置位置情報を記録する位置記録部と、
前記現在位置情報及び前記設置位置情報に基づいて、前記補助撮像部が前記第１画像データに関連する前記補助画像データを生成するか否かを判定する判定部とを備え、
前記補助通信制御部は、
前記判定部にて前記補助撮像部が前記第１画像データに関連する前記補助画像データを生成すると判定された場合に、前記補助通信部を介して、前記補助画像データを前記撮像装置に送信する
ことを特徴とする請求項９〜１１のいずれか一つに記載の撮像システム。
【請求項１３】
前記補助画像供給装置は、
被写体を撮像して前記補助画像データを生成する補助撮像装置と、
ネットワークを介して前記撮像装置と通信を行うサーバとを備え、
前記サーバは、
複数の前記補助画像データを記録する補助記録部と、
前記撮影状況情報に基づいて、前記補助記録部に記録された前記複数の補助画像データのうち前記第１画像データに関連する前記補助画像データを抽出するデータ抽出部と、
前記ネットワークを介して前記撮像装置と通信を行う補助通信部と、
前記補助通信部を介して、前記撮影状況情報を前記撮像装置から受信するとともに、前記データ抽出部にて抽出された前記補助画像データを前記撮像装置に送信する補助通信制御部とを備える
ことを特徴とする請求項９に記載の撮像システム。
【請求項１４】
前記補助撮像装置は、
異なる場所に複数、設置され、
前記撮影状況情報は、
前記撮像装置の現在位置に関する現在位置情報を含んで構成され、
前記サーバは、
複数の前記補助撮像装置の各設置位置に関する複数の設置位置情報を記録する位置記録部を備え、
前記データ抽出部は、
前記現在位置情報及び前記複数の設置位置情報に基づいて、前記複数の補助撮像装置のうち前記第１画像データに関連する補助画像データを生成する前記補助撮像装置を特定し、前記補助記録部に記録された前記複数の補助画像データのうち当該特定した補助撮像装置にて生成された前記補助画像データを抽出する
ことを特徴とする請求項１３に記載の撮像システム。
【請求項１５】
前記撮影状況情報は、
前記撮像装置を利用して撮影を行った撮影者に相当する被写体像の特徴に関する特徴情報を含んで構成され、
前記データ抽出部は、
前記補助記録部に記録された前記複数の補助画像データのうち前記特徴情報に基づく特徴の被写体像を含む前記補助画像データを抽出する
ことを特徴とする請求項１０または１３に記載の撮像システム。
【請求項１６】
前記撮影状況情報は、
前記撮像装置を利用して撮影を行った撮影者に相当する被写体像を含む第２画像データを含んで構成され、
前記データ抽出部は、
前記第２画像データに含まれる被写体像の特徴に関する特徴情報を生成し、前記補助記録部に記録された前記複数の補助画像データのうち当該特徴情報に基づく特徴の被写体像を含む前記補助画像データを抽出する
ことを特徴とする請求項１０または１３に記載の撮像システム。
【請求項１７】
被写体を撮像する撮像装置と、
ネットワークを介して前記撮像装置と通信を行うサーバとを備え、
前記撮像装置は、
被写体を撮像させる撮影操作を受け付ける撮影操作部と、
被写体を撮像して第１画像データを生成する第１撮像部と、
前記撮影操作部が前記撮影操作を受け付けた際に、前記第１撮像部に被写体を撮像させる第１撮像制御部と、
前記撮影操作部が前記撮影操作を受け付けた際に、当該撮像装置の撮影状況に関する撮影状況情報を生成する撮影状況情報生成部と、
前記ネットワークを介して前記サーバと通信を行う通信部と、
前記通信部を介して、前記第１画像データ及び前記撮影状況情報を関連付けて前記サーバに送信する通信制御部とを備え、
前記サーバは、
前記ネットワークを介して前記撮像装置と通信を行う補助通信部と、
前記補助通信部を介して、互いに関連付けられた前記第１画像データ及び前記撮影状況情報を受信する補助通信制御部と、
外部の補助撮像装置にて生成された複数の補助画像データを記録する補助記録部と、
前記補助通信部を介して受信した前記撮影状況情報に基づいて、前記補助記録部に記録された前記複数の補助画像データのうち当該撮影状況情報に関連付けられた前記第１画像データに関連する前記補助画像データを抽出するデータ抽出部と、
前記補助通信部を介して受信した前記第１画像データ、及び前記データ抽出部にて抽出された前記補助画像データを関連付けて記録する関連記録部とを備える
ことを特徴とする撮像システム。
【請求項１８】
撮像装置にて生成された第１画像データに対応する画像を表示する表示装置において、
前記撮像装置にて生成された第１画像データ、及び当該第１画像データが生成された際の前記撮像装置の撮影状況に関する撮影状況情報を関連付けて記録するデータ記録部と、
前記第１画像データに対応する画像を表示させる表示操作を受け付ける表示操作部と、
画像を表示する表示部と、
前記表示操作部が前記表示操作を受け付けた際に、前記第１画像データに対応する画像を前記表示部に表示させる表示制御部と、
前記第１画像データに関連する補助画像データを供給する外部の補助画像供給装置と通信を行う通信部と、
前記表示操作部が前記表示操作を受け付けた際に、前記通信部を介して、前記データ記録部から表示対象となる前記第１画像データに関連付けられた前記撮影状況情報を読み出して前記補助画像供給装置に送信するとともに、前記補助画像供給装置にて撮像された複数の補助画像データのうち前記撮影状況情報に基づいて抽出された前記補助画像データを前記補助画像供給装置から受信する通信制御部とを備える
ことを特徴とする表示装置。
【請求項１９】
請求項１８に記載の表示装置と、
前記第１画像データに関連する前記補助画像データを供給する前記補助画像供給装置とを備え、
前記補助画像供給装置は、
被写体を撮像して補助画像データを生成する補助撮像部と、
ネットワークを介して前記表示装置と通信を行うサーバとを備え、
前記サーバは、
複数の前記補助画像データを記録する補助記録部と、
前記撮影状況情報に基づいて、前記補助記録部に記録された前記複数の補助画像データのうち前記第１画像データに関連する前記補助画像データを抽出するデータ抽出部と、
前記ネットワークを介して前記表示装置と通信を行う補助通信部と、
前記補助通信部を介して、前記撮影状況情報を前記表示装置から受信するとともに、前記データ抽出部にて抽出された前記補助画像データを前記表示装置に送信する補助通信制御部とを備える
ことを特徴とする表示システム。
【請求項２０】
被写体を撮像する撮像装置が行う撮像方法において、
被写体を撮像させる撮影操作を受け付けた際に、被写体を撮像して第１画像データを生成する撮像ステップと、
前記撮影操作を受け付けた際に、当該撮像装置の撮影状況に関する撮影状況情報を生成する撮影状況情報生成ステップと、
前記撮影状況情報を外部の補助画像供給装置に送信し、前記補助画像供給装置にて撮像された複数の補助画像データのうち前記撮影状況情報に基づいて抽出された前記補助画像データを前記補助画像供給装置から受信する通信ステップとを含む
ことを特徴とする撮像方法。
【請求項２１】
被写体を撮像する撮像装置が行う撮像方法において、
被写体を撮像させる撮影操作を受け付けた際に、被写体を撮像して第１画像データを生成する撮像ステップと、
前記撮影操作を受け付けた際に、当該撮像装置の撮影状況に関する撮影状況情報を生成する撮影状況情報生成ステップと、
前記撮影状況情報を外部の補助画像供給装置に送信し、前記補助画像供給装置により前記撮影状況情報に基づいて撮像された補助画像データを前記補助画像供給装置から受信する通信ステップとを含む
ことを特徴とする撮像方法。
【請求項２２】
請求項２０または２１に記載の撮像方法を撮像装置に実行させる
ことを特徴とする撮像プログラム。
【請求項２３】
撮像装置にて生成された第１画像データに対応する画像を表示する表示装置が行う表示方法において、
前記表示装置は、
前記第１画像データ、及び当該第１画像データが生成された際の前記撮像装置の撮影状況に関する撮影状況情報を関連付けて記録するデータ記録部を備え、
当該表示方法は、
前記第１画像データに対応する画像を表示させる表示操作を受け付けた際に、前記データ記録部から表示対象となる前記第１画像データを読み出して、当該第１画像データに対応する画像を表示する表示ステップと、
前記データ記録部から表示対象となる前記第１画像データに関連付けられた前記撮影状況情報を読み出して、当該撮影状況情報を外部の補助画像供給装置に送信するとともに、前記補助画像供給装置にて撮像された複数の補助画像データのうち前記撮影状況情報に基づいて抽出された前記補助画像データを前記補助画像供給装置から受信する通信ステップとを含む
ことを特徴とする表示方法。
【請求項２４】
請求項２３に記載の表示方法を表示装置に実行させる
ことを特徴とする表示プログラム。
【発明の詳細な説明】
【技術分野】
【０００１】
本発明は、撮像装置、表示装置、撮像システム、表示システム、撮像方法、表示方法、撮像プログラム、及び表示プログラムに関する。
【背景技術】
【０００２】
従来、デジタルカメラ等の撮像装置にて撮像された撮影画像データに対して、当該撮影画像データに関連する関連画像データを合成する画像処理システムが知られている（例えば、特許文献１参照）。
特許文献１に記載の画像処理システムは、撮影画像データに付与された付帯情報（撮影された位置に関する位置データ）に基づいて、予め記録された地図データから、撮影された場所を特定する。また、画像処理システムは、予め記録された関連画像データから、当該特定した場所に関連付けられた関連画像データを取得する。そして、画像処理システムは、撮影画像データに当該関連画像データを合成する。
以上のような画像処理システムでは、例えば、動物園において撮影が行われた場合には、当該撮影による撮影画像に対して、当該撮影された場所である動物園に関連付けられた動物のイラスト画像（関連画像）を合成し、動物園での記念写真であることを強調することとなる。
【先行技術文献】
【特許文献】
【０００３】
【特許文献１】特開２００３−２５９２８５号公報
【発明の概要】
【発明が解決しようとする課題】
【０００４】
ところで、ユーザによっては、撮像装置にて撮像された撮影画像に関連した関連画像として、例えば、当該撮像された場所と略同一の環境下で、当該撮像装置とは異なる別の撮像装置にて略同時に撮像された関連画像を取得することを要望する場合がある。
しかしながら、特許文献１に記載の画像処理システムでは、予め生成しておいたイラスト画像を関連画像としているため、ユーザの上記要望に応えることができず、利便性の向上が図れない、という問題がある。
【０００５】
本発明は、上記に鑑みてなされたものであって、利便性の向上が図れる撮像装置、表示装置、撮像システム、表示システム、撮像方法、表示方法、撮像プログラム、及び表示プログラムを提供することを目的とする。
【課題を解決するための手段】
【０００６】
上述した課題を解決し、目的を達成するために、本発明に係る撮像装置は、被写体を撮像する撮像装置において、被写体を撮像させる撮影操作を受け付ける撮影操作部と、被写体を撮像して第１画像データを生成する第１撮像部と、前記撮影操作部が前記撮影操作を受け付けた際に、前記第１撮像部に被写体を撮像させる第１撮像制御部と、前記撮影操作部が前記撮影操作を受け付けた際に、当該撮像装置の撮影状況に関する撮影状況情報を生成する撮影状況情報生成部と、前記第１画像データに関連する補助画像データを供給する外部の補助画像供給装置と通信を行う通信部と、前記通信部を介して、前記撮影状況情報を前記補助画像供給装置に送信するとともに、前記補助画像供給装置にて撮像された複数の前記補助画像データのうち前記撮影状況情報に基づいて抽出された前記補助画像データを前記補助画像供給装置から受信する通信制御部とを備えることを特徴とする。
【０００７】
また、本発明に係る撮像装置は、被写体を撮像する撮像装置において、被写体を撮像させる撮影操作を受け付ける撮影操作部と、被写体を撮像して第１画像データを生成する第１撮像部と、前記撮影操作部が前記撮影操作を受け付けた際に、前記第１撮像部に被写体を撮像させる第１撮像制御部と、前記撮影操作部が前記撮影操作を受け付けた際に、当該撮像装置の撮影状況に関する撮影状況情報を生成する撮影状況情報生成部と、前記第１画像データに関連する補助画像データを供給する外部の補助画像供給装置と通信を行う通信部と、前記通信部を介して、前記撮影状況情報を前記補助画像供給装置に送信するとともに、前記補助画像供給装置により前記撮影状況情報に基づいて撮像された前記補助画像データを前記補助画像供給装置から受信する通信制御部とを備えることを特徴とする。
【０００８】
また、本発明に係る撮像装置は、上記発明において、前記撮影操作部に対して前記撮影操作を行う撮影者を被写体として撮像し、第２画像データを生成する第２撮像部と、前記撮影操作部が前記撮影操作を受け付けた際に、前記第２撮像部に撮影者を被写体として撮像させる第２撮像制御部とを備え、前記撮影状況情報生成部は、前記第２撮像部にて生成された前記第２画像データに含まれる撮影者に相当する被写体像の特徴に関する特徴情報を含む前記撮影状況情報を生成することを特徴とする。
【０００９】
また、本発明に係る撮像装置は、上記発明において、前記撮影操作部に対して前記撮影操作を行う撮影者を被写体として撮像し、第２画像データを生成する第２撮像部と、前記撮影操作部が前記撮影操作を受け付けた際に、前記第２撮像部に撮影者を被写体として撮像させる第２撮像制御部とを備え、前記撮影状況情報生成部は、前記第２撮像部にて生成された前記第２画像データを含む前記撮影状況情報を生成することを特徴とする。
【００１０】
また、本発明に係る撮像装置は、上記発明において、当該撮像装置の現在位置に関する現在位置情報を取得する位置取得部を備え、前記撮影状況情報生成部は、前記撮影操作部が前記撮影操作を受け付けた際に、前記位置取得部にて取得された前記現在位置情報を含む前記撮影状況情報を生成することを特徴とする。
【００１１】
また、本発明に係る撮像装置は、上記発明において、前記補助画像供給装置は、異なる場所に複数、設置され、当該撮像装置は、複数の前記補助画像供給装置のうち特定の前記補助画像供給装置と通信を行うための通信仕様情報を取得する通信仕様情報取得部を備え、前記通信制御部は、前記通信仕様情報取得部にて取得された前記通信仕様情報に基づいて、前記通信部を介して、前記特定の補助画像供給装置に前記撮影状況情報を送信するとともに、前記特定の補助画像供給装置から前記補助画像データを受信することを特徴とする。
【００１２】
また、本発明に係る撮像装置は、上記発明において、当該撮像装置の現在位置に関する現在位置情報を取得する位置取得部と、前記複数の補助画像供給装置にそれぞれ対応する複数の前記通信仕様情報、及び前記複数の通信仕様情報にそれぞれ関連付けられた前記複数の補助画像供給装置の各設置位置に関する複数の設置位置情報を記憶する記憶部とを備え、前記通信仕様情報取得部は、前記位置取得部にて取得された前記現在位置情報、及び前記記憶部に記憶された前記複数の設置位置情報に基づいて、前記記憶部から前記特定の補助画像供給装置に対応する前記通信仕様情報を取得することを特徴とする。
【００１３】
また、本発明に係る撮像装置は、上記発明において、前記複数の補助画像供給装置がそれぞれ設置された各場所には、当該場所に設置された前記補助画像供給装置に対応する前記通信仕様情報がコード化されたコード情報を表示するコード情報表示装置がそれぞれ設置され、前記通信仕様情報取得部は、前記第１撮像部による撮像で生成された前記第１画像データに含まれる前記コード情報に基づいて、前記特定の補助画像供給装置に対応する前記通信仕様情報を取得することを特徴とする。
【００１４】
また、本発明に係る撮像システムは、上述した撮像装置と、前記第１画像データに関連する前記補助画像データを供給する前記補助画像供給装置とを備えることを特徴とする。
【００１５】
また、本発明に係る撮像システムは、上記発明において、前記撮像装置は、被写体を撮像させる撮影操作を受け付ける撮影操作部と、被写体を撮像して前記第１画像データを生成する第１撮像部と、前記撮影操作部が前記撮影操作を受け付けた際に、前記第１撮像部に被写体を撮像させる第１撮像制御部と、前記撮影操作部が前記撮影操作を受け付けた際に、当該撮像装置の撮影状況に関する撮影状況情報を生成する撮影状況情報生成部と、前記補助画像供給装置と通信を行う通信部と、前記通信部を介して、前記撮影状況情報を前記補助画像供給装置に送信するとともに、前記補助画像供給装置にて撮像された複数の前記補助画像データのうち前記撮影状況情報に基づいて抽出された前記補助画像データを前記補助画像供給装置から受信する通信制御部とを備え、前記補助画像供給装置は、被写体を撮像して前記補助画像データを生成する補助撮像部と、複数の前記補助画像データを記録する補助記録部と、前記撮影状況情報に基づいて、前記補助記録部に記録された前記複数の補助画像データのうち前記第１画像データに関連する前記補助画像データを抽出するデータ抽出部と、前記撮像装置と通信を行う補助通信部と、前記補助通信部を介して、前記撮影状況情報を前記撮像装置から受信するとともに、前記データ抽出部にて抽出された前記補助画像データを前記撮像装置に送信する補助通信制御部とを備えることを特徴とする。
【００１６】
また、本発明に係る撮像システムは、上記発明において、前記撮像装置は、被写体を撮像させる撮影操作を受け付ける撮影操作部と、被写体を撮像して前記第１画像データを生成する第１撮像部と、前記撮影操作部が前記撮影操作を受け付けた際に、前記第１撮像部に被写体を撮像させる第１撮像制御部と、前記撮影操作部が前記撮影操作を受け付けた際に、当該撮像装置の撮影状況に関する撮影状況情報を生成する撮影状況情報生成部と、前記補助画像供給装置と通信を行う通信部と、前記通信部を介して、前記撮影状況情報を前記補助画像供給装置に送信するとともに、前記補助画像供給装置により前記撮影状況情報に基づいて撮像された前記補助画像データを前記補助画像供給装置から受信する通信制御部とを備え、前記補助画像供給装置は、被写体を撮像して前記補助画像データを生成する補助撮像部と、前記撮影状況情報に基づいて、前記補助撮像部に撮像させ、前記第１画像データに関連する前記補助画像データを生成させる補助撮像制御部と、前記撮像装置と通信を行う補助通信部と、前記補助通信部を介して、前記撮影状況情報を前記撮像装置から受信するとともに、前記補助撮像部にて生成された前記補助画像データを前記撮像装置に送信する補助通信制御部とを備えることを特徴とする。
【００１７】
また、本発明に係る撮像システムは、上記発明において、前記補助画像供給装置は、異なる場所に複数、設置され、前記撮影状況情報は、前記撮像装置の現在位置に関する現在位置情報を含んで構成され、前記補助画像供給装置は、当該補助画像供給装置の設置位置に関する設置位置情報を記録する位置記録部と、前記現在位置情報及び前記設置位置情報に基づいて、前記補助撮像部が前記第１画像データに関連する前記補助画像データを生成するか否かを判定する判定部とを備え、前記補助通信制御部は、前記判定部にて前記補助撮像部が前記第１画像データに関連する前記補助画像データを生成すると判定された場合に、前記補助通信部を介して、前記補助画像データを前記撮像装置に送信することを特徴とする。
【００１８】
また、本発明に係る撮像システムは、上記発明において、前記補助画像供給装置は、被写体を撮像して前記補助画像データを生成する補助撮像装置と、ネットワークを介して前記撮像装置と通信を行うサーバとを備え、前記サーバは、複数の前記補助画像データを記録する補助記録部と、前記撮影状況情報に基づいて、前記補助記録部に記録された前記複数の補助画像データのうち前記第１画像データに関連する前記補助画像データを抽出するデータ抽出部と、前記ネットワークを介して前記撮像装置と通信を行う補助通信部と、前記補助通信部を介して、前記撮影状況情報を前記撮像装置から受信するとともに、前記データ抽出部にて抽出された前記補助画像データを前記撮像装置に送信する補助通信制御部とを備えることを特徴とする。
【００１９】
また、本発明に係る撮像システムは、上記発明において、前記補助撮像装置は、異なる場所に複数、設置され、前記撮影状況情報は、前記撮像装置の現在位置に関する現在位置情報を含んで構成され、前記サーバは、複数の前記補助撮像装置の各設置位置に関する複数の設置位置情報を記録する位置記録部を備え、前記データ抽出部は、前記現在位置情報及び前記複数の設置位置情報に基づいて、前記複数の補助撮像装置のうち前記第１画像データに関連する補助画像データを生成する前記補助撮像装置を特定し、前記補助記録部に記録された前記複数の補助画像データのうち当該特定した補助撮像装置にて生成された前記補助画像データを抽出することを特徴とする。
【００２０】
また、本発明に係る撮像システムは、上記発明において、前記撮影状況情報は、前記撮像装置を利用して撮影を行った撮影者に相当する被写体像の特徴に関する特徴情報を含んで構成され、前記データ抽出部は、前記補助記録部に記録された前記複数の補助画像データのうち前記特徴情報に基づく特徴の被写体像を含む前記補助画像データを抽出することを特徴とする。
【００２１】
また、本発明に係る撮像システムは、上記発明において、前記撮影状況情報は、前記撮像装置を利用して撮影を行った撮影者に相当する被写体像を含む第２画像データを含んで構成され、前記データ抽出部は、前記第２画像データに含まれる被写体像の特徴に関する特徴情報を生成し、前記補助記録部に記録された前記複数の補助画像データのうち当該特徴情報に基づく特徴の被写体像を含む前記補助画像データを抽出することを特徴とする。
【００２２】
また、本発明に係る撮像システムは、被写体を撮像する撮像装置と、ネットワークを介して前記撮像装置と通信を行うサーバとを備え、前記撮像装置は、被写体を撮像させる撮影操作を受け付ける撮影操作部と、被写体を撮像して第１画像データを生成する第１撮像部と、前記撮影操作部が前記撮影操作を受け付けた際に、前記第１撮像部に被写体を撮像させる第１撮像制御部と、前記撮影操作部が前記撮影操作を受け付けた際に、当該撮像装置の撮影状況に関する撮影状況情報を生成する撮影状況情報生成部と、前記ネットワークを介して前記サーバと通信を行う通信部と、前記通信部を介して、前記第１画像データ及び前記撮影状況情報を関連付けて前記サーバに送信する通信制御部とを備え、前記サーバは、前記ネットワークを介して前記撮像装置と通信を行う補助通信部と、前記補助通信部を介して、互いに関連付けられた前記第１画像データ及び前記撮影状況情報を受信する補助通信制御部と、外部の補助撮像装置にて生成された複数の補助画像データを記録する補助記録部と、前記補助通信部を介して受信した前記撮影状況情報に基づいて、前記補助記録部に記録された前記複数の補助画像データのうち当該撮影状況情報に関連付けられた前記第１画像データに関連する前記補助画像データを抽出するデータ抽出部と、前記補助通信部を介して受信した前記第１画像データ、及び前記データ抽出部にて抽出された前記補助画像データを関連付けて記録する関連記録部とを備えることを特徴とする。
【００２３】
また、本発明に係る表示装置は、撮像装置にて生成された第１画像データに対応する画像を表示する表示装置において、前記撮像装置にて生成された第１画像データ、及び当該第１画像データが生成された際の前記撮像装置の撮影状況に関する撮影状況情報を関連付けて記録するデータ記録部と、前記第１画像データに対応する画像を表示させる表示操作を受け付ける表示操作部と、画像を表示する表示部と、前記表示操作部が前記表示操作を受け付けた際に、前記第１画像データに対応する画像を前記表示部に表示させる表示制御部と、前記第１画像データに関連する補助画像データを供給する外部の補助画像供給装置と通信を行う通信部と、前記表示操作部が前記表示操作を受け付けた際に、前記通信部を介して、前記データ記録部から表示対象となる前記第１画像データに関連付けられた前記撮影状況情報を読み出して前記補助画像供給装置に送信するとともに、前記補助画像供給装置にて撮像された複数の補助画像データのうち前記撮影状況情報に基づいて抽出された前記補助画像データを前記補助画像供給装置から受信する通信制御部とを備えることを特徴とする。
【００２４】
また、本発明に係る表示システムは、上述した表示装置と、前記第１画像データに関連する前記補助画像データを供給する前記補助画像供給装置とを備え、前記補助画像供給装置は、被写体を撮像して補助画像データを生成する補助撮像部と、ネットワークを介して前記表示装置と通信を行うサーバとを備え、前記サーバは、複数の前記補助画像データを記録する補助記録部と、前記撮影状況情報に基づいて、前記補助記録部に記録された前記複数の補助画像データのうち前記第１画像データに関連する前記補助画像データを抽出するデータ抽出部と、前記ネットワークを介して前記表示装置と通信を行う補助通信部と、前記補助通信部を介して、前記撮影状況情報を前記表示装置から受信するとともに、前記データ抽出部にて抽出された前記補助画像データを前記表示装置に送信する補助通信制御部とを備えることを特徴とする。
【００２５】
また、本発明に係る撮像方法は、被写体を撮像する撮像装置が行う撮像方法において、被写体を撮像させる撮影操作を受け付けた際に、被写体を撮像して第１画像データを生成する撮像ステップと、前記撮影操作を受け付けた際に、当該撮像装置の撮影状況に関する撮影状況情報を生成する撮影状況情報生成ステップと、前記撮影状況情報を外部の補助画像供給装置に送信し、前記補助画像供給装置にて撮像された複数の補助画像データのうち前記撮影状況情報に基づいて抽出された前記補助画像データを前記補助画像供給装置から受信する通信ステップとを含むことを特徴とする。
【００２６】
また、本発明に係る撮像方法は、被写体を撮像する撮像装置が行う撮像方法において、被写体を撮像させる撮影操作を受け付けた際に、被写体を撮像して第１画像データを生成する撮像ステップと、前記撮影操作を受け付けた際に、当該撮像装置の撮影状況に関する撮影状況情報を生成する撮影状況情報生成ステップと、前記撮影状況情報を外部の補助画像供給装置に送信し、前記補助画像供給装置により前記撮影状況情報に基づいて撮像された補助画像データを前記補助画像供給装置から受信する通信ステップとを含むことを特徴とする。
【００２７】
また、本発明に係る撮像プログラムは、上述した撮像方法を撮像装置に実行させることを特徴とする。
【００２８】
また、本発明に係る表示方法は、撮像装置にて生成された第１画像データに対応する画像を表示する表示装置が行う表示方法において、前記表示装置は、前記第１画像データ、及び当該第１画像データが生成された際の前記撮像装置の撮影状況に関する撮影状況情報を関連付けて記録するデータ記録部を備え、当該表示方法は、前記第１画像データに対応する画像を表示させる表示操作を受け付けた際に、前記データ記録部から表示対象となる前記第１画像データに関連付けられた前記撮影状況情報を読み出して外部の補助画像供給装置に送信し、前記補助画像供給装置にて撮像された複数の補助画像データのうち前記撮影状況情報に基づいて抽出された前記補助画像データを前記補助画像供給装置から受信する通信ステップとを含むことを特徴とする。
【００２９】
また、本発明に係る表示プログラムは、上述した表示方法を表示装置に実行させることを特徴とする。
【発明の効果】
【００３０】
本発明に係る撮像装置は、撮影操作を受け付けた場合に、被写体を撮像して第１画像データを生成するとともに、当該撮影操作を受け付けた際での当該撮像装置の撮影状況に関する撮影状況情報を生成する。
そして、本発明の一態様による撮像装置は、第１画像データに関連する補助画像データを供給する外部の補助画像供給装置に対し当該生成した撮影状況情報を送信するとともに、当該補助画像供給装置にて撮像された複数の補助画像データのうち当該撮影状況情報に基づいて抽出された補助画像データを当該補助画像供給装置から受信する。また、本発明の別の一態様による撮像装置は、外部の補助画像供給装置に対し当該生成した撮影状況情報を送信するとともに、当該補助画像供給装置にて当該撮影状況情報に基づいて撮像された補助画像データを当該補助画像供給装置から受信する。
すなわち、補助画像供給装置は、撮像装置から撮影状況情報を受信することで、当該撮影状況情報に基づいて、当該撮像装置にて撮像された場所と略同一の環境下で略同時に撮像した補助画像データを当該撮像装置に供給することが可能となる。したがって、本発明に係る撮像装置によれば、当該撮像装置にて撮像した撮影画像に関連した補助画像として、当該撮像された場所と略同一の環境下で、当該撮像装置とは異なる別の撮像装置（補助画像供給装置）にて略同時に撮像された補助画像を取得することが可能となり、利便性の向上が図れる、という効果を奏する。
【００３１】
本発明に係る表示装置は、上述した撮像装置と略同様の構成を有するため、上述した撮像装置と同様の効果を奏する。
本発明に係る撮像システムは、上述した撮像装置を備えるため、上述した撮像装置と同様の効果を奏する。
本発明に係る表示システムは、上述した表示装置を備えるため、上述した表示装置と同様の効果を奏する。
本発明に係る撮像方法は、上述した撮像装置が行う撮像方法であるため、上述した撮像装置と同様の効果を奏する。
本発明に係る表示方法は、上述した表示装置が行う表示方法であるため、上述した表示装置と同様の効果を奏する。
本発明に係る撮像プログラムは、上述した撮像装置にて実行されるプログラムであるため、上述した撮像装置と同様の効果を奏する。
本発明に係る表示プログラムは、上述した表示装置にて実行されるプログラムであるため、上述した表示装置と同様の効果を奏する。
【図面の簡単な説明】
【００３２】
【図１】図１は、本発明の実施の形態１に係る撮像システムの構成を模式的に示す図である。
【図２】図２は、図１に示した撮像装置本体の構成を示すブロック図である。
【図３】図３は、図１に示した通信機器の構成を示すブロック図である。
【図４】図４は、図１に示した補助画像供給装置の構成を示すブロック図である。
【図５】図５は、図１に示した撮像システムの使用態様の一例を示す図である。
【図６Ａ】図６Ａは、図５に示した使用態様で撮像装置本体にて撮像された撮影画像を示す図である。
【図６Ｂ】図６Ｂは、図５に示した使用態様で通信機器にて撮像されたインカメラ画像を示す図である。
【図６Ｃ】図６Ｃは、図５に示した使用態様で補助画像供給装置にて撮像された補助画像を示す図である。
【図７】図７は、図１及び図２に示した撮像装置本体の動作を示すフローチャートである。
【図８】図８は、図１及び図３に示した通信機器の動作を示すフローチャートである。
【図９】図９は、図８に示した撮影状況情報の生成処理（ステップＳ２０７）を示すフローチャートである。
【図１０】図１０は、図１及び図４に示した補助画像供給装置の動作を示すフローチャートである。
【図１１】図１１は、本発明の実施の形態２に係る通信機器の構成を示すブロック図である。
【図１２】図１２は、本発明の実施の形態２に係る補助画像供給装置の構成を示すブロック図である。
【図１３】図１３は、本発明の実施の形態２に係る撮影状況情報の生成処理（ステップＳ２０７）を示すフローチャートである。
【図１４】図１４は、図１２に示した補助画像供給装置の動作を示すフローチャートである。
【図１５】図１５は、本発明の実施の形態３に係る撮像システムの構成を模式的に示す図である。
【図１６】図１６は、図１５に示した撮像装置本体の構成を示すブロック図である。
【図１７】図１７は、図１５に示した通信機器の構成を示すブロック図である。
【図１８】図１８は、図１５に示した補助画像供給装置の構成を示すブロック図である。
【図１９】図１９は、図１５に示した撮像システムの使用態様の一例を示す図である。
【図２０】図２０は、図１５及び図１６に示した撮像装置本体の動作を示すフローチャートである。
【図２１】図２１は、図１５及び図１７に示した通信機器の動作を示すフローチャートである。
【図２２】図２２は、図２１に示した撮影状況情報の生成処理（ステップＳ２０７）を示すフローチャートである。
【図２３】図２３は、図１５及び図１８に示した補助画像供給装置の動作を示すフローチャートである。
【図２４】図２４は、本発明の実施の形態４に係る通信機器の構成を示すブロック図である。
【図２５】図２５は、図２４に示した通信機器の動作を示すフローチャートである。
【図２６】図２６は、図２５に示した通信仕様情報の取得処理（ステップＳ２１２）を示すフローチャートである。
【図２７】図２７は、本発明の実施の形態５に係る通信機器の構成を示すブロック図である。
【図２８】図２８は、本発明の実施の形態５に係る撮像システムの使用態様の一例を示す図である。
【図２９】図２９は、本発明の実施の形態５に係る通信仕様情報の取得処理（ステップＳ２１２）を示すフローチャートである。
【図３０】図３０は、本発明の実施の形態６に係る撮像システムの構成を模式的に示す図である。
【図３１】図３１は、図３０に示した撮像装置本体の構成を示すブロック図である。
【図３２】図３２は、図３０に示した通信機器の構成を示すブロック図である。
【図３３】図３３は、図３０に示した補助撮像装置の構成を示すブロック図である。
【図３４】図３４は、図３０に示したサーバの構成を示すブロック図である。
【図３５】図３５は、図３０及び図３１に示した撮像装置本体の動作を示すフローチャートである。
【図３６】図３６は、図３０及び図３２に示した通信機器の動作を示すフローチャートである。
【図３７】図３７は、図３６に示したステップＳ２１３で表示される初期画面の一例を示す図である。
【図３８】図３８は、図３６に示したステップＳ２１９で表示されるアルバム表示ページの一例を示す図である。
【図３９】図３９は、図３０及び図３３に示した補助撮像装置の動作を示すフローチャートである。
【図４０】図４０は、図３０及び図３４に示したサーバの動作を示すフローチャートである。
【図４１】図４１は、本発明の実施の形態７に係る撮像システムの構成を模式的に示す図である。
【図４２】図４２は、図４１に示した通信機器の構成を示すブロック図である。
【図４３】図４３は、図４１に示したサーバの構成を示すブロック図である。
【図４４】図４４は、図４１及び図４２に示した通信機器の動作を示すフローチャートである。
【図４５】図４５は、図４１及び図４３に示したサーバの動作を示すフローチャートである。
【発明を実施するための形態】
【００３３】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００３４】
（実施の形態１）
〔撮像システムの概略構成〕
図１は、本発明の実施の形態１に係る撮像システム１の構成を模式的に示す図である。
撮像システム１は、カメラユーザが被写体を撮影した撮影画像と、当該カメラユーザのいる環境下で全く別の位置から略同時に撮影した補助画像とを関連付けてアルバムを生成するシステムである。この撮像システム１は、図１に示すように、撮像装置２と、補助画像供給装置３とを備える。
【００３５】
〔撮像装置の構成〕
撮像装置２は、図１に示すように、撮像装置本体４と、通信機器５と、アタッチメント６とを備える。
アタッチメント６は、撮像装置本体４及び通信機器５を機械的に接続する部材である。
より具体的に、アタッチメント６は、図１に示すように、通信機器５の背面に装着される。また、アタッチメント６には、平面視で円形状を有し、撮像装置本体４が嵌め込まれる取付用孔６Ａが設けられている。
そして、アタッチメント６を介して撮像装置本体４及び通信機器５が機械的に接続された状態では、撮像装置２の全体形状は、デジタルカメラをイメージする形状となる。
なお、撮像装置２としては、アタッチメント６を備えた構成に限られず、アタッチメント６を省略した構成としても構わない。
【００３６】
〔撮像装置本体の構成〕
なお、以下では、撮像装置本体４の構成として、本発明の要部を主に説明する。
図２は、撮像装置本体４の構成を示すブロック図である。
撮像装置本体４は、図２に示すように、本体側光学系４１と、本体側駆動部４２と、本体側位置検出部４３と、操作部４４と、本体側時計部４５と、本体側撮像部４６と、本体側メモリ部４７と、本体側記録部４８と、本体側通信部４９と、本体側制御部５０とを備える。そして、これら各部材４１〜５０は、全体略円筒形状を有するレンズ鏡筒４０（図１）内部に収納される。すなわち、撮像装置本体４の全体形状は、図１に示すように、所謂交換レンズの全体形状と略同様の形状を有する。
【００３７】
本体側光学系４１は、所定の視野領域から光を集光し、この集光した光を、本体側撮像部４６を構成する撮像素子（図示略）の撮像面に結像する。この本体側光学系４１は、図２に示すように、ズームレンズ４１１と、フォーカスレンズ４１２とを備える。
ズームレンズ４１１は、一または複数のレンズを用いて構成され、図２に破線で示した光軸に沿って移動することにより、本体側光学系４１のズーム倍率を変更する。
フォーカスレンズ４１２は、一または複数のレンズを用いて構成され、図２に破線で示した光軸に沿って移動することにより、本体側光学系４１のピント位置及び焦点距離を変更する。
【００３８】
本体側駆動部４２は、本体側制御部５０による制御の下、本体側光学系４１を構成する各レンズ４１１，４１２を光軸に沿って移動させる。この本体側駆動部４２は、図２に示すように、ズーム駆動部４２１と、フォーカス駆動部４２２とを備える。
ズーム駆動部４２１は、ステッピングモータやＤＣモータ等を用いて構成され、ズームレンズ４１１を光軸に沿って移動させる。
フォーカス駆動部４２２は、ステッピングモータやＤＣモータ等を用いて構成され、フォーカスレンズ４１２を光軸に沿って移動させる。
【００３９】
本体側位置検出部４３は、本体側光学系４１を構成する各レンズ４１１，４１２の光軸上の位置を検出する。この本体側位置検出部４３は、図２に示すように、ズーム位置検出部４３１と、フォーカス位置検出部４３２とを備える。
ズーム位置検出部４３１は、フォトインタラプタ等を用いて構成され、ズーム駆動部４２１にて駆動されたズームレンズ４１１の光軸上の位置を検出する。
具体的には、ズーム位置検出部４３１は、ズーム駆動部４２１に含まれる駆動用モータの回転量をパルス数に変換し、変換したパルス数に基づいて、無限遠を基準とする基準位置からのズームレンズ４１１の光軸上の位置を検出する。
フォーカス位置検出部４３２は、フォトインタラプタ等を用いて構成され、ズーム位置検出部４３１と同様の方法により、フォーカス駆動部４２２にて駆動されたフォーカスレンズ４１２の光軸上の位置を検出する。
【００４０】
操作部４４は、レンズ鏡筒４０の周囲に設けられる操作リング、レンズ鏡筒４０の外面に設けられるボタンやスイッチ等であり、本体側光学系４１内のズームレンズ４１１やフォーカスレンズ４１２の光軸上の位置の変更操作や、撮影操作等のユーザ操作を受け付ける。そして、操作部４４は、当該ユーザ操作に応じた指示信号を本体側制御部５０に出力する。
すなわち、操作部４４は、本発明に係る撮影操作部としての機能を有する。
【００４１】
本体側時計部４５は、計時機能の他、本体側撮像部４６にて撮像された日時に関する日時情報（以下、第１タイムスタンプと記載）を生成する機能を有する。そして、本体側時計部４５にて生成された第１タイムスタンプは、本体側制御部５０に出力される。
【００４２】
本体側撮像部４６は、本発明に係る第１撮像部としての機能を有し、本体側制御部５０による制御の下、被写体を撮像して画像データを生成する。この本体側撮像部４６は、本体側光学系４１が結像した被写体像を受光して電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。そして、本体側撮像部４６にて順次、生成された画像データ（以下、ライブビュー画像データと記載）は、本体側制御部５０による制御の下、当該ライブビュー画像データが生成された日時に関する第１タイムスタンプが付加されて、順次、本体側メモリ部４７に記憶される。また、カメラユーザによる撮像装置本体４（操作部４４）や通信機器５への撮影操作に応じて本体側撮像部４６にて生成された画像データ（以下、撮影画像データ（本発明に係る第１画像データに相当）と記載）は、当該撮影画像データが生成された日時に関する第１タイムスタンプが付加されて、本体側記録部４８に記録される。
【００４３】
本体側メモリ部４７は、本体側撮像部４６にて生成されたライブビュー画像データ（第１タイムスタンプを含む）を順次、記憶する。
本体側記録部４８は、本体側制御部５０が実行する各種プログラムや、本体側光学系４１の倍率、焦点距離、画角、収差及びＦ値（明るさ）等の本体側光学系４１の特性に関する特性情報等を記録する。また、本体側記録部４８は、カメラユーザによる撮像装置本体４（操作部４４）や通信機器５への撮影操作に応じて、本体側制御部５０による制御の下、本体側撮像部４６にて生成された撮影画像データ（第１タイムスタンプを含む）を記録する。
【００４４】
本体側通信部４９は、本体側制御部５０による制御の下、通信機器５との間で通信に必要な信号を含む各種データの無線通信を行うための通信インターフェースである。
本実施の形態１では、当該無線通信の通信方式として、Ｗｉ−Ｆｉ（Ｗｉｒｅｌｅｓｓ  Ｆｉｄｅｌｉｔｙ）（登録商標）を採用している。なお、当該無線通信の通信方式としては、Ｗｉ−Ｆｉ（登録商標）の他、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）等、他の通信方式を採用しても構わない。
例えば、Ｗｉ−Ｆｉ（登録商標）の場合、ローカルネットワークを想定し、機器の役割として、アクセスポイント、ステーションの関係があり、概略の接続処理としては、アクセスポイントが構築している無線ネットワークに、ステーションが接続する関係となる。
大まかな接続シーケンスとしては、（Ｓｔｅｐ１）アクセスポイントは、無線ネットワークを構築し、自分のネットワーク識別子（ＳＳＩＤ）を報知する、（Ｓｔｅｐ２）ステーションは、報知されているネットワーク識別子（ＳＳＩＤ）を検索し、所望のネットワーク（アクセスポイント）に接続する、というＳｔｅｐ１，２を踏み、多くの機器とのネットワークを想定するので、カバー範囲が広く、干渉の問題を考慮しながら厳密な識別ステップを踏むことになる。このため、接続確立に時間が掛かることがある。ただし、データ通信は、アクセスポイント、ステーションそれぞれのタイミングでデータの送受信が可能である。ここでは、撮像装置本体４をアクセスポイント、通信機器５をステーションと考えればよい。なお、この関係は逆でもよい。１０メガビット／秒以上という速度で通信することができるので画像も高速で送信することができる。
【００４５】
本体側制御部５０は、ＣＰＵ（Ｃｅｎｔｒａｌ  Ｐｒｏｃｅｓｓｉｎｇ  Ｕｎｉｔ）等を用いて構成され、操作部４４からの指示信号や、本体側通信部４９を介して入力される通信機器５からの指示信号に応じて撮像装置本体４全体の動作を制御する。
例えば、本体側制御部５０は、本体側通信部４９を介して、通信機器５との間でＷｉ−Ｆｉ（登録商標）等の通信方式による通信接続を確立する。そして、本体側制御部５０は、本体側記録部４８に記録された特性情報、本体側位置検出部４３が検出したズームレンズ４１１及びフォーカスレンズ４１２の各位置に関するレンズ位置情報、本体側メモリ部４７に記憶された最新のライブビュー画像データ（第１タイムスタンプを含む）、本体側記録部４８に記録された最新の撮影画像データ（第１タイムスタンプを含む）等を通信機器５に送信する。なお、「最新」とは、タイムスタンプに基づく日時上、最新という意味である（以下、同様）。また、本体側制御部５０は、本体側通信部４９を介して、通信機器５から撮影指示や本体側光学系４１の動作指示を受信する。
【００４６】
〔通信機器の構成〕
通信機器５は、例えば、デジタルカメラ、デジタルビデオカメラ、または携帯電話やタブレット型携帯機器等として構成される（図１では、通信機器５を携帯電話（スマートフォン）として図示）。
なお、以下では、通信機器５の構成として、本発明の要部を主に説明する。
図３は、通信機器５の構成を示すブロック図である。
この通信機器５は、図３に示すように、入力部５１と、表示部５２と、機器側時計部５３と、機器側撮像部５４と、機器側メモリ部５５と、機器側記録部５６と、機器側通信部５７と、機器側制御部５８とを備える。
【００４７】
入力部５１は、ユーザ操作を受け付けるボタン、スイッチ、タッチパネル等を用いて構成され、当該ユーザ操作に応じた指示信号を機器側制御部５８に出力する。
そして、入力部５１は、本発明に係る撮影操作部としての機能を有する。
表示部５２は、液晶または有機ＥＬ（Ｅｌｅｃｔｒｏ  Ｌｕｍｉｎｅｓｃｅｎｃｅ）等からなる表示パネルを用いて構成され、通信機器５の前面（図５参照）に設けられる。そして、表示部５２は、機器側制御部５８による制御の下、所定の画像を表示する。
【００４８】
機器側時計部５３は、計時機能の他、機器側撮像部５４にて撮像された日時に関する日時情報（以下、第２タイムスタンプと記載）を生成する機能を有する。そして、機器側時計部５３にて生成された第２タイムスタンプは、機器側制御部５８に出力される。
機器側撮像部５４は、本発明に係る第２撮像部としての機能を有し、通信機器５の前面（図５参照）に設けられる。そして、機器側撮像部５４は、機器側制御部５８による制御の下、被写体を撮像して画像データ（以下、インカメラ画像データと記載）を生成する。この機器側撮像部５４は、被写体像を結像する光学系５４１（図５参照）、光学系５４１が結像した被写体像を受光して電気信号に変換するＣＣＤ等の撮像素子（図示略）、当該撮像素子からの電気信号（アナログ信号）に対して信号処理（Ａ／Ｄ変換等）を行うことによりデジタルの画像データを生成する信号処理部等を用いて構成される。そして、機器側撮像部５４にて生成されたインカメラ画像データは、機器側制御部５８による制御の下、当該インカメラ画像データが生成された日時に関する第２タイムスタンプが付加されて、機器側メモリ部５５または機器側記録部５６に記憶または記録される。
【００４９】
機器側メモリ部５５は、機器側撮像部５４にてカメラユーザ（撮影者）を被写体として撮像されたインカメラ画像データ（本発明に係る第２画像データに相当、第２タイムスタンプを含む）、機器側通信部５７を介して撮像装置本体４から受信した情報を記憶する。また、機器側メモリ部５５は、機器側制御部５８による制御の下、補助画像供給装置３と通信を行うために必要な補助画像供給装置３の通信仕様情報を記憶する。例えば、補助画像供給装置３が動物園に設置され、当該動物園にて管理されている場合（図５参照）には、カメラユーザは、当該動物園に入場する際に、当該動物園の管理者から知らされた補助画像供給装置３の通信仕様情報を入力部５１に入力する。そして、入力部５１に入力された通信仕様情報は、機器側制御部５８による制御の下、機器側メモリ部５５に記憶される。なお、当該通信仕様情報を機器側メモリ部５５に記憶させる方法については、上述した入力部５１への入力による方法に限られず、例えば、機器側通信部５７を利用して通信により当該通信仕様情報を取得し機器側メモリ部５５に記憶させる方法を採用しても構わない。
【００５０】
機器側記録部５６は、図３に示すように、プログラム記録部５６１と、画像データ記録部５６２とを備える。
プログラム記録部５６１は、機器側制御部５８が実行する各種プログラム（撮像プログラムを含む）、及びプログラムの実行中に使用される各種データ等を記録する。
画像データ記録部５６２は、撮像装置本体４にて生成された撮影画像データ（第１タイムスタンプを含む）、または、機器側撮像部５４にて生成されたインカメラ画像データ（第２タイムスタンプを含む）を記録する。ここで、当該撮影画像データには、機器側制御部５８による制御の下、当該撮影画像データに関連する補助画像データが関連付けられている（アルバム化されている）。
また、機器側記録部５６は、撮像装置本体４と通信を行うために必要な撮像装置本体４の通信仕様情報を記録する。
【００５１】
機器側通信部５７は、本発明に係る通信部としての機能を有し、機器側制御部５８による制御の下、撮像装置本体４や補助画像供給装置３との間で通信に必要な信号を含む各種データの無線通信をＷｉ−Ｆｉ（登録商標）等の通信方式により行うための通信インターフェースである。
【００５２】
機器側制御部５８は、ＣＰＵ等を用いて構成され、入力部５１からの指示信号等に応じて通信機器５を構成する各部に対応する指示やデータの転送等を行って通信機器５の動作を統括的に制御する。この機器側制御部５８は、図３に示すように、機器側通信制御部５８１と、撮像制御部５８２、撮影状況情報生成部５８３と、機器側表示制御部５８４とを備える。
【００５３】
機器側通信制御部５８１は、通信機器５がカメラ通信モード（撮像装置本体４を利用して被写体を撮影するモード）に設定されている場合に、以下の処理を実行する。
具体的に、機器側通信制御部５８１は、機器側記録部５６に記録された撮像装置本体４の通信仕様情報に基づいて、機器側通信部５７を介して、撮像装置本体４との間でＷｉ−Ｆｉ（登録商標）等の通信方式による通信接続を確立する。そして、機器側通信制御部５８１は、機器側通信部５７を介して、撮像装置本体４から特性情報、レンズ位置情報、ライブビュー画像データ（第１タイムスタンプを含む）、及び撮影画像データ（第１タイムスタンプを含む）等を受信する。
また、機器側通信制御部５８１は、機器側メモリ部５５に記憶された補助画像供給装置３の通信仕様情報に基づいて、機器側通信部５７を介して、補助画像供給装置３との間でＷｉ−Ｆｉ（登録商標）等の通信方式による通信接続を確立する。そして、機器側通信制御部５８１は、機器側通信部５７を介して、撮影状況情報生成部５８３にて生成された撮影状況情報（補助画像データの転送要求も含む）を補助画像供給装置３に送信するとともに、補助画像供給装置３から補助画像データを受信する。
すなわち、機器側通信制御部５８１は、本発明に係る通信制御部としての機能を有する。
【００５４】
撮像制御部５８２は、通信機器５がカメラ通信モードに設定されている場合には、以下の処理を実行する。
具体的に、撮像制御部５８２は、カメラユーザによる入力部５１への撮影操作に応じて、機器側通信部５７を介して、撮影を行う旨の撮影指示（当該撮影により得られた撮影画像データの転送要求も含む）を撮像装置本体４に送信する。そして、撮像制御部５８２は、撮像装置本体４から撮影画像データ（第１タイムスタンプを含む）が転送された場合に、当該撮影画像データを画像データ記録部５６２に記録する。また、撮像制御部５８２は、カメラユーザによる操作部４４または入力部５１への撮影操作に応じて、機器側撮像部５４に当該カメラユーザ（撮影者）を被写体として撮像させ、当該撮像により生成されたインカメラ画像データ（第２タイムスタンプを含む）を機器側メモリ部５５に記憶する。さらに、撮像制御部５８２は、補助画像供給装置３から補助画像データが転送された場合に、当該補助画像データを、画像データ記録部５６２に記録された撮影画像データに関連付けて画像データ記録部５６２に記録する。また、撮像制御部５８２は、カメラユーザによる入力部５１への本体側光学系４１を動作（ズームレンズ４１１、フォーカスレンズ４１２の光軸上の位置を変更）させる操作に応じて、機器側通信部５７を介して、本体側光学系４１の動作指示を撮像装置本体４に送信する。
すなわち、撮像制御部５８２は、本発明に係る第１撮像制御部としての機能を有する。
【００５５】
一方、撮像制御部５８２は、通信機器５が通常撮影モード（機器側撮像部５４を利用して被写体を撮影するモード）に設定されている場合には、以下の処理を実行する。
具体的に、撮像制御部５８２は、通信機器５のユーザによる入力部５１への撮影操作に応じて、機器側撮像部５４に被写体を撮像させ、機器側撮像部５４にて生成されたインカメラ画像データ（第２タイムスタンプを含む）を画像データ記録部５６２に記録する。
すなわち、撮像制御部５８２は、本発明に係る第２撮像制御部としての機能を有する。
【００５６】
撮影状況情報生成部５８３は、通信機器５がカメラ通信モードに設定されている場合に、カメラユーザによる操作部４４または入力部５１への撮影操作に応じて、撮像装置２の撮影状況に関する撮影状況情報を生成する。
具体的に、撮影状況情報生成部５８３は、カメラユーザによる操作部４４または入力部５１への撮影操作に応じて機器側撮像部５４にて撮像され機器側メモリ部５５に記憶されたインカメラ画像データ（第２タイムスタンプを含む）を読み出す。また、撮影状況情報生成部５８３は、当該読み出したインカメラ画像データに対して顔検出処理を行い、検出した顔領域（カメラユーザ（撮影者）の顔領域）における特徴情報（顔の輪郭、目、鼻、口等の大きさや形に関する形状特徴情報、顔の皮膚の色や明るさに関する濃淡特徴情報等）を抽出する。そして、撮影状況情報生成部５８３は、当該抽出した特徴情報に対して当該特徴情報を抽出する際に用いたインカメラ画像データに含まれる第２タイムスタンプを付加した情報を撮影状況情報として生成する。
なお、上述した特徴情報としては、顔領域における特徴情報に限られず、衣服、帽子、あるいは、持ち物等の形状や色情報等を特徴情報としても構わない。また、カメラユーザによる操作部４４または入力部５１への撮影操作に応じて通信機器５（機器側撮像部５４）にて生成されたインカメラ画像データに含まれる第２タイムスタンプと、当該撮影操作に応じて撮像装置本体４（本体側撮像部４６）にて生成された撮影画像データに含まれる第１タイムスタンプとは、略同一の日時を示すものである。このため、第２タイムスタンプの代わりに第１タイムスタンプを特徴情報に付加した情報を撮影状況情報としても構わない。さらに、タイムスタンプの作成については、機器で厳密な時刻合わせをする必要があるとは限らず、画像が送信されたタイミングから換算される、あるいは、撮影時に他の機器と通信して取得するような応用が可能であることは言うまでもない。
【００５７】
機器側表示制御部５８４は、表示部５２の動作を制御し、機器側メモリ部５５に記憶されたライブビュー画像データに対応するライブビュー画像、画像データ記録部５６２に記録され互いに関連付けられた撮影画像データ及び補助画像データに対応する各画像、並びに各種モードの選択を促す初期画面等を表示部５２に表示させる。
【００５８】
〔補助画像供給装置の構成〕
補助画像供給装置３は、例えば、デジタルカメラやデジタルビデオカメラ等として構成され、所定の環境下に設置（固定）される。そして、補助画像供給装置３は、撮像装置２からの要求に応じて、当該撮像装置２にて生成された撮影画像データに関連する補助画像データを撮像装置２に供給する。
なお、以下では、補助画像供給装置３の構成として、本発明の要部を主に説明する。
図４は、補助画像供給装置３の構成を示すブロック図である。
補助画像供給装置３は、図４に示すように、ズームレンズ３１１及びフォーカスレンズ３１２を有する供給側光学系３１と、ズーム駆動部３２１及びフォーカス駆動部３２２を有する供給側駆動部３２と、ズーム位置検出部３３１及びフォーカス位置検出部３３２を有する供給側位置検出部３３と、供給側時計部３４と、供給側撮像部３５と、供給側メモリ部３６と、供給側記録部３７と、供給側通信部３８と、供給側制御部３９とを備える。
なお、各部材３１〜３３については、撮像装置本体４を構成する各部材４１〜４３と同様の構成であるため、詳細な説明は省略する。
【００５９】
供給側時計部３４は、計時機能の他、供給側撮像部３５にて撮像された日時に関する日時情報（以下、第３タイムスタンプと記載）を生成する機能を有する。そして、供給側時計部３４にて生成された第３タイムスタンプは、供給側制御部３９に出力される。
供給側撮像部３５は、本発明に係る補助撮像部としての機能を有する。この供給側撮像部３５は、本体側撮像部４６と同様の構成を有し、供給側制御部３９による制御の下、被写体を撮像して補助画像データを生成する。そして、供給側撮像部３５にて順次、生成された補助画像データは、供給側制御部３９による制御の下、当該補助画像データが生成された日時に関する第３タイムスタンプが付加されて、順次、供給側記録部３７に記録される。
【００６０】
供給側メモリ部３６は、供給側通信部３８を介して通信機器５から受信した撮影状況情報を記憶する。
供給側記録部３７は、供給側制御部３９が実行する各種プログラムや、供給側光学系３１の倍率、焦点距離、画角、収差及びＦ値（明るさ）等の供給側光学系３１の特性に関する特性情報等を記録する。また、供給側記録部３７は、供給側制御部３９による制御の下、供給側撮像部３５にて生成された補助画像データ（第３タイムスタンプを含む）を順次、記録する補助記録部３７１（図４）を備える。
【００６１】
供給側通信部３８は、供給側制御部３９による制御の下、通信機器５との間で通信に必要な信号を含む各種データの無線通信をＷｉ−Ｆｉ（登録商標）等の通信方式により行うための通信インターフェースである。
例えば、Ｗｉ−Ｆｉ（登録商標）の場合、補助画像供給装置３をアクセスポイント、通信機器５をステーションと考えればよい。なお、この関係は逆でもよい。
【００６２】
供給側制御部３９は、ＣＰＵ等を用いて構成され、補助画像供給装置３全体の動作を制御する。この供給側制御部３９は、図４に示すように、供給側通信制御部３９１と、データ抽出部３９２とを備える。
供給側通信制御部３９１は、本発明に係る補助通信制御部としての機能を有し、供給側通信部３８を介して、通信機器５との間でＷｉ−Ｆｉ（登録商標）等の通信方式による通信接続を確立する。そして、供給側通信制御部３９１は、通信機器５から撮影状況情報を受信する。また、供給側通信制御部３９１は、データ抽出部３９２にて抽出された補助画像データに対して当該補助画像データの抽出に用いられた撮影状況情報に含まれる第２タイムスタンプを付加した情報を通信機器５に送信する。
データ抽出部３９２は、供給側通信部３８を介して受信した撮影状況情報に基づいて、補助記録部３７１に記録された複数の補助画像データ（第３タイムスタンプを含む）から、当該撮影状況情報に含まれる第２タイムスタンプと略同一の日時を示す第３タイムスタンプが付加され、かつ、当該撮影状況情報に含まれる特徴情報と略同一の特徴情報を有する被写体像を含む補助画像データを抽出する。すなわち、データ抽出部３９２は、補助記録部３７１に記録された複数の補助画像データから、撮像装置本体４にて撮像された撮影画像データに関連する補助画像データを抽出する。
【００６３】
〔撮像システムの動作〕
次に、上述した撮像システム１の動作について説明する。
図５は、撮像システム１の使用態様の一例を示す図である。具体的に、図５は、動物園を想定し、動物園に入場したカメラユーザＸが撮像装置２を利用して被写体Ｙを撮影することで、当該撮影画像と動物園に設置された補助画像供給装置３にて動物や入場者（カメラユーザＸを含む）を被写体として撮像された補助画像とでアルバムが生成される態様を例示している。図６Ａは、図５に示した使用態様で撮像装置本体４（本体側撮像部４６）にて被写体Ｙを被写体として撮像された撮影画像Ｗ１００を示す図である。図６Ｂは、図５に示した使用態様で通信機器５（機器側撮像部５４）にてカメラユーザＸを被写体として撮像されたインカメラ画像Ｗ２００を示す図である。図６Ｃは、図５に示した使用態様で補助画像供給装置３にて動物（象）、被写体Ｙ、及びカメラユーザＸを被写体として撮像された補助画像Ｗ３００を示す図である。
以下、撮像システム１の動作として、撮像装置本体４の動作、通信機器５の動作、及び補助画像供給装置３の動作を順に説明する。
【００６４】
〔撮像装置本体の動作〕
図７は、撮像装置本体４の動作を示すフローチャートである。
カメラユーザによる操作部４４への操作によって撮像装置本体４の電源がオンになる（ステップＳ１０１：Ｙｅｓ）と、本体側制御部５０は、本体側撮像部４６に撮像を開始させる（ステップＳ１０２）。本体側撮像部４６にて生成されたライブビュー画像データ（タイムスタンプを含む）は、順次、本体側メモリ部４７に記憶される。
【００６５】
続いて、本体側制御部５０は、本体側通信部４９を介して通信機器５との間でＷｉ−Ｆｉ（登録商標）等の通信方式による通信接続を確立しているか否かを判断する（ステップＳ１０３）。
通信機器５との間で通信接続を確立していないと判断された場合（ステップＳ１０３：Ｎｏ）には、撮像装置本体４は、ステップＳ１０６に移行する。
一方、通信機器５との間で通信接続を確立していると判断された場合（ステップＳ１０３：Ｙｅｓ）には、本体側制御部５０は、本体側通信部４９を介して、本体側メモリ部４７に記憶された最新のライブビュー画像データ（第１タイムスタンプを含む）を通信機器５に送信する（ステップＳ１０４）。
【００６６】
続いて、本体側制御部５０は、本体側通信部４９を介して、通信機器５から撮影指示を受信したか否かを判断する（ステップＳ１０５）。
撮影指示を受信していないと判断した場合（ステップＳ１０５：Ｎｏ）には、本体側制御部５０は、カメラユーザによる操作部４４への撮影操作があったか否かを判断する（ステップＳ１０６）。なお、ステップＳ１０３で通信機器５との間で通信接続を確立していないと判断された場合（ステップＳ１０３：Ｎｏ）でも同様のステップＳ１０６が実行される。
一方、撮影指示を受信したと判断した場合（ステップＳ１０５：Ｙｅｓ）には、本体側制御部５０は、本体側撮像部４６に撮像を行わせる（ステップＳ１０７：撮像ステップ）。なお、ステップＳ１０６で撮影操作があったと判断された場合（ステップＳ１０６：Ｙｅｓ）でも同様のステップＳ１０７が実行される。また、ステップＳ１０６で撮影操作がないと判断された場合（ステップＳ１０６：Ｎｏ）には、撮像装置本体４は、ステップＳ１０１に戻る。
【００６７】
ステップＳ１０７の後、本体側制御部５０は、当該ステップＳ１０７での撮像により生成された撮影画像データ（第１タイムスタンプを含む）を本体側記録部４８に記録する（ステップＳ１０８）。
続いて、本体側制御部５０は、ステップＳ１０３と同様に、通信機器５との間で通信接続を確立しているか否かを判断する（ステップＳ１０９）。
通信機器５との間で通信接続を確立していると判断した場合（ステップＳ１０９：Ｙｅｓ）には、本体側制御部５０は、本体側通信部４９を介して、本体側記録部４８に記録された最新の撮影画像データ（図５の例では、図６Ａに示した撮影画像Ｗ１００）を通信機器５に送信する（ステップＳ１１０）。この後、撮像装置本体４は、ステップＳ１０１に戻る。
一方、通信機器５との間で通信接続を確立していないと判断された場合（ステップＳ１０９：Ｎｏ）には、撮像装置本体４は、ステップＳ１０１に戻る。そして、図７では図示を省略したが、本体側制御部５０は、ステップＳ１１０で送信する予定であった撮影画像データ（第１タイムスタンプを含む）を通信機器５との間で通信接続を確立した段階で、通信機器５に送信する。
【００６８】
〔通信機器の動作〕
次に、通信機器５の動作について説明する。
図８は、通信機器５の動作を示すフローチャートである。
なお、以下では、通信機器５は、「カメラ通信モード」に設定されているものとする。
カメラユーザによる入力部５１への操作によって通信機器５の電源がオンになる（ステップＳ２０１：Ｙｅｓ）と、機器側通信制御部５８１は、機器側通信部５７を介して撮像装置本体４との間で通信接続を確立しているか否かを判断する（ステップＳ２０２）。
撮像装置本体４との間で通信接続を確立していないと判断された場合（ステップＳ２０２：Ｎｏ）には、通信機器５は、ステップＳ２０１に戻る。
一方、撮像装置本体４との間で通信接続を確立していると判断した場合（ステップＳ２０２：Ｙｅｓ）には、機器側通信制御部５８１は、機器側通信部５７を介して、撮像装置本体４からライブビュー画像データ（第１タイムスタンプを含む）を受信したか否かを判断する（ステップＳ２０３）。
【００６９】
ライブビュー画像データを受信していないと判断された場合（ステップＳ２０３：Ｎｏ）には、通信機器５は、ステップＳ２０２に戻る。
一方、ライブビュー画像データを受信したと判断した場合(ステップＳ２０３：Ｙｅｓ)には、機器側通信制御部５８１は、当該受信したライブビュー画像データ（第１タイムスタンプを含む）を機器側メモリ部５５に記憶する。そして、機器側表示制御部５８４は、機器側メモリ部５５に記憶された最新のライブビュー画像データに対応するライブビュー画像を表示部５２に表示させる（ステップＳ２０４）。
【００７０】
続いて、撮像制御部５８２は、カメラユーザによる入力部５１への撮影操作があったか否かを判断する（ステップＳ２０５）。
撮影操作がないと判断された場合（ステップＳ２０５：Ｎｏ）には、通信機器５は、ステップＳ２０２に戻る。
一方、撮影操作があったと判断した場合（ステップＳ２０５：Ｙｅｓ）には、撮像制御部５８２は、機器側通信部５７を介して、撮影指示（撮影により得られた撮影画像データの転送要求も含む）を撮像装置本体４に送信するとともに、撮像装置本体４から転送された撮影画像データを画像データ記録部５６２に記録する（ステップＳ２０６）。
【００７１】
続いて、撮影状況情報生成部５８３は、カメラユーザによる入力部５１への撮影操作があった際（ステップＳ２０５：Ｙｅｓ）の撮像装置２の撮影状況に関する撮影状況情報を生成する（ステップＳ２０７：撮影状況情報生成ステップ）。
ここで、図８では、説明の便宜上、ステップＳ２０６の後にステップＳ２０７を実行するように記載しているが、実際には、ステップＳ２０６，Ｓ２０７は並行して略同時に実行されるものである。
なお、撮影状況情報の生成処理（ステップＳ２０７）の詳細については、後述する。
【００７２】
続いて、機器側通信制御部５８１は、機器側メモリ部５５に記憶された補助画像供給装置３の通信仕様情報（図５の例では、動物園に入場する際に取得）に基づいて、機器側通信部５７を介して、補助画像供給装置３との間でＷｉ−Ｆｉ（登録商標）等の通信方式による通信接続を確立する（ステップＳ２０８）。
続いて、機器側通信制御部５８１は、機器側通信部５７を介して、撮影状況情報（補助画像データの転送要求も含む）を補助画像供給装置３に送信するとともに、補助画像供給装置３から補助画像データ（送信した撮影状況情報に含まれる第２タイムスタンプを含む）を受信する（ステップＳ２０９：通信ステップ）。
続いて、撮像制御部５８２は、画像データ記録部５６２に記録された複数の撮影画像データ（第１タイムスタンプを含む）から、補助画像供給装置３から転送された補助画像データに付加された第２タイムスタンプと略同一の日時を示す第１タイムスタンプが付加された撮影画像データを特定する。そして、撮像制御部５８２は、補助画像供給装置３から転送された補助画像データ（図５の例では、図６Ｃに示した補助画像Ｗ３００）を、当該特定した撮影画像データ（図５の例では、図６Ａに示した撮影画像Ｗ１００）に関連付けて画像データ記録部５６２に記録する（ステップＳ２１０）。この後、通信機器５は、ステップＳ２０２に戻る。
【００７３】
〔撮影状況情報の生成処理〕
次に、撮影状況情報の生成処理（ステップＳ２０７）について説明する。
図９は、撮影状況情報の生成処理（ステップＳ２０７）を示すフローチャートである。
撮像制御部５８２は、機器側撮像部５４に当該カメラユーザ（図５の例では、カメラユーザＸ）を被写体として撮像（インカメラ撮像）させる（ステップＳ２０７Ａ）。そして、撮像制御部５８２は、当該インカメラ撮像により生成されたインカメラ画像データ（図５の例では、図６Ｂに示したインカメラ画像Ｗ２００、第２タイムスタンプを含む）を機器側メモリ部５５に記憶する（ステップＳ２０７Ｂ）。
【００７４】
続いて、撮影状況情報生成部５８３は、ステップＳ２０７Ｂで機器側メモリ部５５に記憶されたインカメラ画像データを読み出し、当該読み出したインカメラ画像データに対して顔検出処理を行う（ステップＳ２０７Ｃ）。
続いて、撮影状況情報生成部５８３は、ステップＳ２０７Ｃで検出した顔領域（図５，図６Ｂの例では、カメラユーザＸの顔領域）における特徴情報を抽出する。そして、撮影状況情報生成部５８３は、当該抽出した特徴情報に対して当該特徴情報を抽出する際に用いたインカメラ画像データに含まれる第２タイムスタンプ（ステップＳ２０６で取得した撮影画像データに含まれる第１タイムスタンプと略同一の日時を示す）を付加した情報を撮影状況情報として生成する（ステップＳ２０７Ｄ）。この後、通信機器５は、図８に示したメインルーチンに戻る。
以上説明した図７〜図９に示した撮像装置本体４及び通信機器５の動作が本発明に係る撮像方法に相当する。
【００７５】
〔補助画像供給装置の動作〕
次に、補助画像供給装置３の動作について説明する。
図１０は、補助画像供給装置３の動作を示すフローチャートである。
供給側制御部３９は、供給側撮像部３５に撮像させ（ステップＳ３０１）、供給側撮像部３５にて生成された補助画像データ（第３タイムスタンプを含む）を順次、補助記録部３７１に記録する（ステップＳ３０２）。
【００７６】
続いて、供給側通信制御部３９１は、供給側通信部３８を介して、通信機器５から撮影状況情報（特徴情報（第２タイムスタンプを含む））を受信したか否かを判断する（ステップＳ３０３）。
撮影状況情報を受信していないと判断された場合（ステップＳ３０３：Ｎｏ）には、補助画像供給装置３は、ステップＳ３０１に戻る。
一方、撮影状況情報を受信したと判断した場合（ステップＳ３０３：Ｙｅｓ）には、供給側通信制御部３９１は、当該撮影状況情報を供給側メモリ部３６に記憶する。そして、データ抽出部３９２は、当該撮影状況情報に基づいて、補助記録部３７１に記録された複数の補助画像データ（第３タイムスタンプを含む）から、当該撮影状況情報に含まれる第２タイムスタンプと略同一の日時を示す第３タイムスタンプが付加され、かつ、当該撮影状況情報に含まれる特徴情報と略同一の特徴情報を有する被写体像を含む補助画像データ（図５の例では、図６Ｃに示した補助画像Ｗ３００）を抽出する（ステップＳ３０４）。
【００７７】
続いて、供給側通信制御部３９１は、供給側通信部３８を介して、ステップＳ３０４で抽出された補助画像データに対して当該補助画像データの抽出に用いられた撮影状況情報に含まれる第２タイムスタンプを付加した情報を、ステップＳ３０３で受信した撮影状況情報の送信元である通信機器５に送信する（ステップＳ３０５）。
【００７８】
以上説明した本実施の形態１に係る撮像装置２は、カメラユーザによる操作部４４または入力部５１への撮影操作を受け付けた場合に、被写体を撮像して撮影画像データを生成するとともに、当該撮影操作を受け付けた際での当該撮像装置２の撮影状況に関する撮影状況情報を生成する。そして、撮像装置２は、補助画像供給装置３に対し当該生成した撮影状況情報を送信するとともに、当該補助画像供給装置３にて撮像された複数の補助画像データのうち当該撮影状況情報に基づいて抽出された補助画像データを当該補助画像供給装置３から受信する。
すなわち、補助画像供給装置３は、撮像装置２から撮影状況情報を受信することで、当該撮影状況情報に基づいて、当該撮像装置２にて撮像された場所と略同一の環境下で略同時に撮像した補助画像データを当該撮像装置２に供給することが可能となる。したがって、本実施の形態１に係る撮像装置２によれば、当該撮像装置２にて撮像した撮影画像に関連した補助画像として、当該撮像された場所と略同一の環境下で、当該撮像装置２とは異なる別の撮像装置（補助画像供給装置３）にて略同時に撮像された補助画像を取得することが可能となり、利便性の向上が図れる、という効果を奏する。
【００７９】
また、本実施の形態１に係る撮像装置２は、補助画像供給装置３から送信された補助画像データを撮影画像データに関連付けて画像データ記録部５６２に記録するので、当該撮影画像データ及び補助画像データをアルバムとして記録しておくことができる。
【００８０】
また、本実施の形態１に係る撮像装置２は、カメラユーザによる操作部４４または入力部５１への撮影操作を受け付けた際に機器側撮像部５４にて撮像されたインカメラ画像データに含まれる撮影者に相当する被写体像の特徴に関する特徴情報を含む撮影状況情報を生成する。
すなわち、補助画像供給装置３は、当該撮影状況情報に基づいて、当該撮影状況情報に含まれる特徴情報と略同一の特徴情報を有する被写体像を含む補助画像データを撮像装置２に供給する。したがって、本実施の形態１に係る撮像装置２によれば、当該撮像装置２とは別の位置から撮影され、撮影者の被写体像を含む補助画像を取得することができ、趣向性の高いアルバムを生成することができる。
【００８１】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２に係る撮像システムは、上述した実施の形態１で説明した撮像システム１に対して、通信機器５を構成する撮影状況情報生成部５８３の一部の機能を補助画像供給装置３に持たせるように構成している。
【００８２】
〔撮像システムの構成〕
以下、本実施の形態２に係る撮像システム１Ａ（撮像装置２Ａ及び補助画像供給装置３Ａ）について説明する。
なお、撮像装置２Ａを構成する撮像装置本体４及びアタッチメント６については、上述した実施の形態１で説明した撮像装置本体４（図２）及びアタッチメント６（図１）と同様の構成である。このため、以下では、撮像装置２Ａを構成する通信機器５Ａ、及び補助画像供給装置３Ａの構成について説明する。
【００８３】
〔通信機器の構成〕
図１１は、本発明の実施の形態２に係る通信機器５Ａの構成を示すブロック図である。
本実施の形態２に係る通信機器５Ａは、上述した実施の形態１で説明した通信機器５（図３）に対して、機器側制御部５８の一部の機能が変更されている。
具体的に、本実施の形態２に係る通信機器５Ａを構成する機器側制御部５８Ａは、図１１に示すように、上述した実施の形態１で説明した機器側制御部５８に対して、撮影状況情報生成部５８３の一部の機能が変更された撮影状況情報生成部５８３Ａを備える。
撮影状況情報生成部５８３Ａは、上述した実施の形態１で説明した顔検出処理を行わず、カメラユーザによる操作部４４または入力部５１への撮影操作に応じて機器側撮像部５４にて撮像され機器側メモリ部５５に記憶されたインカメラ画像データ（第２タイムスタンプを含む）を撮影状況情報とする。
【００８４】
〔補助画像供給装置の構成〕
図１２は、本発明の実施の形態２に係る補助画像供給装置３Ａの構成を示すブロック図である。
本実施の形態２に係る補助画像供給装置３Ａは、上述した実施の形態１で説明した補助画像供給装置３（図４）に対して、供給側制御部３９の一部の機能が変更されている。
具体的に、本実施の形態２に係る補助画像供給装置３Ａを構成する供給側制御部３９Ａは、図１２に示すように、上述した実施の形態１で説明した供給側制御部３９に対して、データ抽出部３９２の一部の機能が変更されたデータ抽出部３９２Ａを備える。
データ抽出部３９２Ａは、上述した実施の形態１で説明したデータ抽出部３９２の機能の他、上述した実施の形態１で説明した撮影状況情報生成部５８３の一部の機能と同一の機能を有する。
【００８５】
〔撮像システムの動作〕
次に、本実施の形態２に係る撮像システム１Ａの動作について説明する。
なお、本実施の形態２に係る撮像装置本体４の動作については、上述した実施の形態１で説明した撮像装置本体４の動作（図７）と同様である。このため、以下では、本実施の形態２に係る通信機器５Ａ及び補助画像供給装置３Ａの各動作について説明する。
【００８６】
〔通信機器の動作〕
本実施の形態２に係る通信機器５Ａの動作は、上述した実施の形態１で説明した通信機器５の動作（図８，図９）に対して、撮影状況情報の生成処理（ステップＳ２０７）が異なるのみである。
このため、以下では、本実施の形態２に係る撮影状況情報の生成処理（ステップＳ２０７）のみを説明する。
図１３は、本発明の実施の形態２に係る撮影状況情報の生成処理（ステップＳ２０７）を示すフローチャートである。
上述したように、撮影状況情報生成部５８３Ａは、カメラユーザによる操作部４４または入力部５１への撮影操作に応じて機器側撮像部５４にて撮像（ステップＳ２０７Ａ）され機器側メモリ部５５に記憶（ステップＳ２０７Ｂ）されたインカメラ画像データ（第２タイムスタンプを含む）を撮影状況情報とする。このため、本実施の形態２に係る撮影状況情報の生成処理（ステップＳ２０７）は、図１３に示すように、上述した実施の形態１で説明した撮影状況情報の生成処理（ステップＳ２０７（図９））に対して、ステップＳ２０７Ｃ，Ｓ２０７Ｄが省略されている。
【００８７】
〔補助画像供給装置の動作〕
次に、本実施の形態２に係る補助画像供給装置３Ａの動作について説明する。
図１４は、補助画像供給装置３Ａの動作を示すフローチャートである。
本実施の形態２に係る補助画像供給装置３Ａの動作は、図１４に示すように、上述した実施の形態１で説明した補助画像供給装置３の動作（図１０）に対して、ステップＳ３０６，Ｓ３０７を追加するとともに、ステップＳ３０４の代わりにステップＳ３０４Ａを追加した点が異なるのみである。このため、以下では、ステップＳ３０６，Ｓ３０７，Ｓ３０４Ａのみを説明する。
【００８８】
ステップＳ３０６は、ステップＳ３０３で撮影状況情報（インカメラ画像データ（第２タイムスタンプを含む）を受信したと判断された場合（ステップＳ３０３：Ｙｅｓ）に実行される。
具体的に、データ抽出部３９２Ａは、ステップＳ３０６において、通信機器５Ａから受信（ステップＳ３０３：Ｙｅｓ）し、機器側メモリ部５５に記憶された撮影状況情報（インカメラ画像データ（第２タイムスタンプを含む））を読み出し、当該読み出した撮影状況情報（インカメラ画像データ）に対して顔検出処理を行う。
【００８９】
続いて、データ抽出部３９２Ａは、ステップＳ３０６で検出した顔領域（図５の例では、カメラユーザＸの顔領域）における特徴情報（顔の輪郭、目、鼻、口等の大きさや形に関する形状特徴情報、顔の皮膚の色や明るさに関する濃淡特徴情報等）を抽出する（ステップＳ３０７）。
そして、データ抽出部３９２Ａは、補助記録部３７１に記録された複数の補助画像データ（第３タイムスタンプを含む）から、当該撮影状況情報に含まれる第２タイムスタンプと略同一の日時を示す第３タイムスタンプが付加され、かつ、ステップＳ３０７で抽出した特徴情報と略同一の特徴情報を有する被写体像を含む補助画像データ（図５の例では、図６Ｃに示した補助画像Ｗ３００）を抽出する（ステップＳ３０４Ａ）。この後、補助画像供給装置３Ａは、ステップＳ３０５に移行する。
【００９０】
以上説明した本実施の形態２に係る撮像システム１Ａのように、上述した実施の形態１で説明した撮像システム１に対して、通信機器５を構成する撮影状況情報生成部５８３の一部の機能を補助画像供給装置３に持たせるように構成した場合であっても、上述した実施の形態１と同様の効果を奏する。
【００９１】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る撮像システムは、上述した実施の形態１で説明した撮像システム１に対して、補助画像供給装置を複数設けた構成としている。
【００９２】
〔撮像システムの構成〕
以下、本実施の形態３に係る撮像システム１Ｂ(撮像装置２Ｂ及び補助画像供給装置３Ｂ)について説明する。
図１５は、本発明の実施の形態３に係る撮像システム１Ｂの構成を模式的に示す図である。
本実施の形態３に係る撮像システム１Ｂは、図１５に示すように、上述した実施の形態１で説明した撮像システム１（図１）に対して、撮像装置２及び補助画像供給装置３の一部の機能を変更した撮像装置２Ｂ及び複数（本実施の形態３では、３つ）の補助画像供給装置３Ｂを備える。
なお、撮像装置２Ｂを構成するアタッチメント６については、上述した実施の形態１で説明したアタッチメント６（図１）と同様の構成である。このため、以下では、撮像装置本体２Ｂを構成する撮像装置本体４Ｂ及び通信機器５Ｂ、並びに、３つの補助画像供給装置３Ｂの構成について説明する。
【００９３】
〔撮像装置本体の構成〕
図１６は、撮像装置本体４Ｂの構成を示すブロック図である。
上述した実施の形態１では、補助画像供給装置３から補助画像データを取得し、撮影画像データ及び補助画像データを関連付けて記録する機能を通信機器５に持たせていた。
これに対して本実施の形態２に係る撮像装置本体４Ｂは、上述した実施の形態１で説明した撮像装置本体４（図２）に対して、本体側制御部５０の一部の機能が変更されている。そして、本実施の形態２に係る撮像装置本体４Ｂを構成する本体側制御部５０Ｂ（図１６）に、上述した通信機器５が有する一部の機能を持たせている。また、本実施の形態２に係る本体側制御部５０Ｂは、上述した実施の形態１で説明した本体側制御部５０に対して、本体側通信部４９を介して、通信機器５Ｂに撮影画像データを送信する機能が省略されている。
【００９４】
〔通信機器の構成〕
図１７は、通信機器５Ｂの構成を示すブロック図である。
本実施の形態３に係る通信機器５Ｂは、図１７に示すように、上述した実施の形態１で説明した通信機器５（図３）に対して、位置取得部５９が追加されている。
位置取得部５９は、地上の物体の位置を測定する測定手段であるＧＰＳ（Ｇｌｏｂａｌ  Ｐｏｓｉｔｉｏｎｉｎｇ  Ｓｙｓｔｅｍ）を構成する複数のＧＰＳ衛星から送信されてくる衛星の軌道情報を受信し、この受信した軌道情報に基づいて、通信機器５Ｂの現在位置に関する現在位置情報（経度や緯度に関する情報）を取得する。
【００９５】
また、本実施の形態３に係る通信機器５Ｂを構成する機器側制御部５８Ｂは、図１７に示すように、上述した実施の形態１で説明した機器側制御部５８（図３）に対して、機器側表示制御部５８４を備える他、機器側通信制御部５８１、撮像制御部５８２、及び撮影状況情報生成部５８３の一部の機能を変更した機器側通信制御部５８１Ｂ、撮像制御部５８２Ｂ、及び撮影状況情報生成部５８３Ｂを備える。
【００９６】
機器側通信制御部５８１Ｂは、上述した実施の形態１で説明した機器側通信制御部５８１（図３）と同様に、撮像装置本体４Ｂとの間で通信接続を確立し、撮像装置本体４Ｂから特性情報、レンズ位置情報、及びライブビュー画像データを受信する機能の他、以下の機能を有する。
すなわち、機器側通信制御部５８１Ｂは、機器側メモリ部５５に記憶された補助画像供給装置３Ｂの通信仕様情報に基づいて、機器側通信部５７を介して、全ての補助画像供給装置３Ｂとの間で通信接続を確立する。なお、当該通信仕様情報を機器側メモリ部５５に記憶させる方法は、上述した実施の形態１で説明した通信仕様情報を機器側メモリ部５５に記憶させる方法と同様である。そして、機器側通信制御部５８１Ｂは、機器側通信部５７を介して、撮影状況情報生成部５８３Ｂにて生成された撮影状況情報（現在位置情報（第２タイムスタンプを含む））及び機器側記録部５６に記録された撮像装置本体４Ｂの通信仕様情報を全ての補助画像供給装置３Ｂに一斉通知（マルチキャスト）する。
【００９７】
撮像制御部５８２Ｂは、上述した実施の形態１で説明した撮像制御部５８２（図３）に対して、通信機器５Ｂがカメラ通信モードに設定されている際に実行する機能として、撮像装置本体４Ｂから撮影画像データを受信し画像データ記録部５６２に記録する機能、カメラユーザによる操作部４４または入力部５１への撮影操作に応じて機器側撮像部５４に撮像させる機能、補助画像供給装置３Ｂから補助画像データを受信し撮影画像データに関連付けて画像データ記録部５６２に記録する機能が省略されている。
【００９８】
撮影状況情報生成部５８３Ｂは、上述した実施の形態１で説明した撮影状況情報生成部５８３（図３）に対して、異なる撮影状況情報を生成する。
具体的に、撮影状況情報生成部５８３Ｂは、カメラユーザにより入力部５１に撮影操作があった際に位置取得部５９にて取得された現在位置情報に対して、当該撮影操作があった際に機器側時計部５３にて生成された第２タイムスタンプを付加した情報を撮影状況情報として生成する。
なお、カメラユーザにより入力部５１に撮影操作があった際に機器側時計部５３にて生成された第２タイムスタンプと、当該撮影操作に応じて撮像装置本体４Ｂ（本体側撮像部４６）にて生成された撮影画像データに含まれる第１タイムスタンプとは、略同一の日時を示すものである。
【００９９】
〔補助画像供給装置の構成〕
図１８は、補助画像供給装置３Ｂの構成を示すブロック図である。
本実施の形態３に係る３つの補助画像供給装置３Ｂは、同一の構成を有する。このため、以下では、１つの補助画像供給装置３Ｂの構成のみについて説明する。
本実施の形態３に係る補助画像供給装置３Ｂは、上述した実施の形態１で説明した補助画像供給装置３（図４）に対して、供給側記録部３７の代わりに、図１８に示すように、位置記録部３７２が追加された供給側記録部３７Ｂを採用している。
位置記録部３７２は、自身の補助画像供給装置３Ｂが設置された設置位置に関する設置位置情報（経度や緯度に関する情報）を記録する。
【０１００】
また、本実施の形態３に係る補助画像供給装置３Ｂを構成する供給側制御部３９Ｂは、図１８に示すように、上述した実施の形態１で説明した供給側制御部３９（図４）に対して、供給側通信制御部３９１及びデータ抽出部３９２の一部の機能を変更した供給側通信制御部３９１Ｂ及びデータ抽出部３９２Ｂを備えるとともに、判定部３９３が追加されている。
【０１０１】
供給側通信制御部３９１Ｂは、上述した実施の形態１で説明した供給側通信制御部３９１（図４）と同様に、通信機器５Ｂとの間で通信接続を確立し、通信機器５Ｂから撮影状況情報を受信する機能の他、以下の機能を有する。
すなわち、供給側通信制御部３９１Ｂは、通信機器５Ｂから撮影状況情報とともに撮像装置本体４Ｂの通信仕様情報を受信する。また、供給側通信制御部３９１Ｂは、判定部３９３にて自身の補助画像供給装置３Ｂが対応機器であると判定された場合に、当該通信仕様情報に基づいて、供給側通信部３８を介して、撮像装置本体４Ｂとの間で通信接続を確立する。そして、供給側通信制御部３９１Ｂは、データ抽出部３９２Ｂにて抽出された補助画像データに対して撮影状況情報に含まれる第２タイムスタンプを付加した情報を撮像装置本体４Ｂに送信する。
【０１０２】
データ抽出部３９２Ｂは、判定部３９３にて自身の補助画像供給装置３Ｂが対応機器であると判定された場合に、供給側通信部３８を介して受信した撮影状況情報に基づいて、補助記録部３７１に記録された複数の補助画像データ（第３タイムスタンプを含む）から、当該撮影状況情報に含まれる第２タイムスタンプと略同一の日時を示す第３タイムスタンプが付加された補助画像データを抽出する。
【０１０３】
判定部３９３は、供給側通信部３８を介して受信した撮影状況情報に含まれる現在位置情報、及び位置記録部３７２に記録された設置位置情報に基づいて、自身の補助画像供給装置３Ｂが対応機器（撮影画像データに関連する補助画像データを有していると予測される機器）であるか否かを判定する。
具体的に、判定部３９３は、現在位置情報及び設置位置情報に基づいて、通信機器５Ｂの現在位置が自身の補助画像供給装置３Ｂの設置位置に対して所定距離の範囲内にあると認識した場合に、自身の補助画像供給装置３Ｂが対応機器であると判定する。また、判定部３９３は、通信機器５Ｂの現在位置が自身の補助画像供給装置３Ｂの設置位置に対して上記所定距離の範囲外にあると認識した場合には、自身の補助画像供給装置３Ｂが対応機器ではないと判定する。
【０１０４】
〔撮像システムの動作〕
次に、本実施の形態３に係る撮像システム１Ｂの動作について説明する。
図１９は、撮像システム１Ｂの使用態様の一例を示す図である。具体的に、図１９は、図５に対応し、３つの補助画像供給装置３Ｂが設置される環境を動物園としている。
以下、撮像システム１Ｂの動作として、撮像装置本体４Ｂの動作、通信機器５Ｂの動作、及び補助画像供給装置３Ｂの動作を順に説明する。
【０１０５】
〔撮像装置本体の動作〕
図２０は、撮像装置本体４Ｂの動作を示すフローチャートである。
本実施の形態３に係る撮像装置本体４Ｂの動作は、図２０に示すように、上述した実施の形態１で説明した撮像装置本体４の動作（図７）に対して、ステップＳ１０９，Ｓ１１０の代わりにステップＳ１１１，Ｓ１１２を追加した点が異なるのみである。このため、以下では、ステップＳ１１１，Ｓ１１２のみを説明する。
【０１０６】
ステップＳ１１１は、ステップＳ１０８の後、または、ステップＳ１０６で撮影操作がないと判断された場合（ステップＳ１０６：Ｎｏ）に実行される。
具体的に、本体側制御部５０Ｂは、ステップＳ１１１において、本体側通信部４９を介して、補助画像供給装置３Ｂから補助画像データ（通信機器５Ｂから補助画像供給装置３Ｂに送信された撮影状況情報に含まれる第２タイムスタンプを含む）を受信したか否かを判断する。
補助画像データを受信していないと判断された場合（ステップＳ１１１：Ｎｏ）には、撮像装置本体４Ｂは、ステップＳ１０１に戻る。
一方、補助画像データを受信したと判断した場合（ステップＳ１１１：Ｙｅｓ）には、本体側制御部５０Ｂは、本体側記録部４８に記録された複数の撮影画像データ（第１タイムスタンプを含む）から、補助画像供給装置３Ｂから送信された補助画像データに付加された第２タイムスタンプと略同一の日時を示す第１タイムスタンプが付加された撮影画像データを特定する。そして、本体側制御部５０Ｂは、補助画像供給装置３Ｂから送信された補助画像データ（図５の例では、図６Ｃに示した補助画像Ｗ３００）を、当該特定した撮影画像データ（図５の例では、図６Ａに示した撮影画像Ｗ１００）に関連付けて本体側記録部４８に記録する（ステップＳ１１２）。この後、撮像装置本体４Ｂは、ステップＳ１０１に戻る。
【０１０７】
〔通信機器の動作〕
図２１は、通信機器５Ｂの動作を示すフローチャートである。図２２は、本実施の形態２に係る撮影状況情報の生成処理（ステップＳ２０７）を示すフローチャートである。
本実施の形態３に係る通信機器５Ｂの動作は、図２１及び図２２に示すように、上述した実施の形態１で説明した通信機器５の動作（図８，図９）に対して、ステップＳ２０９，Ｓ２１０を省略してステップＳ２１１を追加し、ステップＳ２０６，Ｓ２０８の代わりにステップＳ２０６Ｂ，Ｓ２０８Ｂを追加し、撮影状況情報の生成処理（ステップＳ２０７）を変更した点が異なるのみである。このため、以下では、ステップＳ２０６Ｂ，Ｓ２０７，Ｓ２０８Ｂ，Ｓ２１１のみを説明する。
【０１０８】
本実施の形態３では、撮像装置本体４Ｂから通信機器５Ｂに対して撮影画像データが送信されないため、ステップＳ２０５で撮影操作があったと判断した場合（ステップＳ２０５：Ｙｅｓ）には、撮像制御部５８２Ｂは、機器側通信部５７を介して、撮像装置本体４Ｂに対し撮影指示の送信のみを実行する（ステップＳ２０６Ｂ）。
【０１０９】
続いて、撮影状況情報生成部５８３Ｂは、図２２に示すように、撮影状況情報の生成処理を実行する（ステップＳ２０７）。
具体的に、撮影状況情報生成部５８３Ｂは、ステップＳ２０５でカメラユーザにより入力部５１に撮影操作があった際（ステップＳ２０５：Ｙｅｓ）に位置取得部５９にて取得された現在位置情報を取得し（ステップＳ２０７Ｅ）、機器側メモリ部５５に記憶する（ステップＳ２０７Ｆ）。
そして、撮影状況情報生成部５８３Ｂは、当該現在位置情報に対して、ステップＳ２０５でカメラユーザにより入力部５１に撮影操作があった際（ステップＳ２０５：Ｙｅｓ）に機器側時計部５３にて生成された第２タイムスタンプを付加した情報を撮影状況情報として生成する（ステップＳ２０７Ｇ）。この後、通信機器５Ｂは、図２１に示したメインルーチンに戻る。
【０１１０】
ステップＳ２０７の後、機器側通信制御部５８１Ｂは、機器側メモリ部５５に記憶された補助画像供給装置３Ｂの通信仕様情報（図５の例では、動物園に入場する際に取得）に基づいて、機器側通信部５７を介して、全ての補助画像供給装置３Ｂとの間で通信接続を確立する（ステップＳ２０８Ｂ）。
続いて、機器側通信制御部５８１Ｂは、機器側通信部５７を介して、ステップＳ２０７で生成された撮影状況情報（現在位置情報（第２タイムスタンプを含む））及び機器側記録部５６に記録された撮像装置本体４Ｂの通信仕様情報を全ての補助画像供給装置３Ｂに一斉通知（マルチキャスト）する（ステップＳ２１１）。この後、通信機器５Ｂは、ステップＳ２０２に戻る。
【０１１１】
〔補助画像供給装置の動作〕
図２３は、補助画像供給装置３Ｂの動作を示すフローチャートである。
本実施の形態３に係る補助画像供給装置３Ｂの動作は、図２３に示すように、上述した実施の形態１で説明した補助画像供給装置３の動作（図１０）に対して、ステップＳ３０３〜Ｓ３０５の代わりにステップＳ３０３Ｂ〜Ｓ３０５Ｂを追加するとともに、さらにステップＳ３０８〜Ｓ３１０を追加した点が異なるのみである。このため、以下では、ステップＳ３０３Ｂ，Ｓ３０８，Ｓ３０９，Ｓ３０４Ｂ，Ｓ３１０，Ｓ３０５Ｂのみを説明する。
【０１１２】
本実施の形態３では、上述したように、通信機器５Ｂは、補助画像供給装置３Ｂに対して撮影状況情報とともに撮像装置本体４Ｂの通信仕様情報を送信する（ステップＳ２１１）。このため、供給側通信制御部３９１Ｂは、ステップＳ３０３Ｂにおいて、供給側通信部３８を介して、通信機器５Ｂから撮影状況情報（現在位置情報（第２タイムスタンプを含む））及び撮像装置本体４Ｂの通信仕様情報を受信したか否かを判断する。
撮影状況情報及び撮像装置本体４Ｂの通信仕様情報を受信していないと判断された場合（ステップＳ３０３Ｂ：Ｎｏ）には、補助画像供給装置３Ｂは、ステップＳ３０１に戻る。
一方、撮影状況情報及び撮像装置本体４Ｂの通信仕様情報を受信したと判断された場合（ステップＳ３０３Ｂ：Ｙｅｓ）には、判定部３９３は、当該撮影状況情報に含まれる現在位置情報、及び位置記録部３７２に記録された設置位置情報に基づいて、自身の補助画像供給装置３Ｂが対応機器であるか否かを判定する（ステップＳ３０８）。
【０１１３】
自身の補助画像供給装置３Ｂが対応機器ではないと判定された場合（ステップＳ３０９：Ｎｏ）には、補助画像供給装置３Ｂは、ステップＳ３０１に戻る。
一方、自身の補助画像供給装置３Ｂが対応機器であると判定された場合（ステップＳ３０９：Ｙｅｓ）には、データ抽出部３９２Ｂは、受信した撮影状況情報（現在位置情報（第２タイムスタンプを含む））に基づいて、補助記録部３７１に記録された複数の補助画像データ（第３タイムスタンプを含む）から、当該撮影状況情報に含まれる第２タイムスタンプと略同一の日時を示す第３タイムスタンプが付加された補助画像データを抽出する（ステップＳ３０４Ｂ）。
【０１１４】
続いて、供給側通信制御部３９１Ｂは、受信した撮像装置本体４Ｂの通信仕様情報に基づいて、供給側通信部３８を介して、撮像装置本体４Ｂとの間で通信接続を確立する（ステップＳ３１０）。
続いて、供給側通信制御部３９１Ｂは、ステップＳ３０４Ｂで抽出された補助画像データに対して当該補助画像データの抽出に用いられた撮影状況情報に含まれる第２タイムスタンプを付加した情報を撮像装置本体４Ｂに送信する（ステップＳ３０５Ｂ）。
【０１１５】
以上説明した本実施の形態３に係る撮像システム１Ｂでは、補助画像供給装置３Ｂは、複数設けられている。
このため、カメラユーザは、種々の場所に移動した場合であっても、当該移動した場所での撮影画像に関連した補助画像を取得することができ、利便性の向上がさらに図れる。
特に、本実施の形態３に係る撮像装置２Ｂは、カメラユーザによる入力部５１への撮影操作を受け付けた際での当該撮像装置２Ｂの現在位置に関する現在位置情報を含む撮影状況情報を生成し、複数の補助画像供給装置３Ｂに一斉通知（マルチキャスト）する。そして、本実施の形態３に係る補助画像供給装置３Ｂは、当該撮影状況情報に含まれる現在位置情報と、自身の補助画像供給装置３Ｂの設置位置に関する設置位置情報とに基づいて、自身の補助画像供給装置３Ｂが対応機器であるか否かを判定し、対応機器であると判定した場合に、補助画像データを撮像装置２Ｂに送信する。
このため、本実施の形態３に係る撮像装置２Ｂによれば、当該撮像装置２Ｂに最も近い位置に設置された補助画像供給装置３Ｂから、当該撮像装置３Ｂの撮影者や被写体が撮影されている可能性のある補助画像を取得することができる。
【０１１６】
（実施の形態３の変形例）
上述した実施の形態３に係る撮像システム１Ｂでは、撮影状況情報として、撮像装置２Ｂの現在位置に関する現在位置情報を含む情報を採用していたが、これに限られず、撮像装置２Ｂが撮像する際の方位（姿勢）に関する方位情報を撮影状況情報にさらに含めても構わない。
このように現在位置情報及び方位情報を撮影状況情報とすることで、補助画像供給装置３Ｂは、当該現在位置情報及び方位情報に基づいて、撮像装置３Ｂの撮影者や被写体が撮影されている可能性のある補助画像データを効果的に抽出することができる。
【０１１７】
（実施の形態４）
次に、本発明の実施の形態４について説明する。
以下の説明では、上述した実施の形態１，３と同様の構成及びステップには同一符号を付し、その詳細な説明は省略または簡略化する。
本実施の形態４に係る撮像システムは、上述した実施の形態１で説明した撮像システム１に対して、上述した実施の形態３で説明した撮像システム１Ｂと同様に、補助画像供給装置を複数設けた構成としている。また、本実施の形態４に係る撮像システムでは、上述した実施の形態３で説明した撮像システム１Ｂとは異なり、通信機器が複数の補助画像供給装置のうち対応機器（撮影画像データに関連する補助画像データを有していると予測される機器）となる補助画像供給装置を特定する構成としている。
【０１１８】
〔撮像システムの構成〕
以下、本実施の形態４に係る撮像システム１Ｃ（撮像装置２Ｃ及び補助画像供給装置３）について説明する。
なお、撮像装置２Ｃを構成する撮像装置本体４及びアタッチメント６については、上述した実施の形態１で説明した撮像装置本体４（図２）及びアタッチメント６（図１）と同様の構成である。また、本実施の形態４に係る補助画像供給装置３は、上述した実施の形態１で説明した補助画像供給装置３（図４）と同様の構成である。このため、以下では、撮像装置２Ｃを構成する通信機器５Ｃの構成について説明する。
【０１１９】
〔通信機器の構成〕
図２４は、本発明の実施の形態４に係る通信機器５Ｃの構成を示すブロック図である。
本実施の形態４に係る通信機器５Ｃは、図２４に示すように、上述した実施の形態１で説明した通信機器５（図３）に対して、上述した実施の形態３で説明した位置取得部５９が追加されている。
また、本実施の形態４に係る通信機器５Ｃを構成する機器側制御部５８Ｃは、図２４に示すように、上述した実施の形態１で説明した機器側制御部５８（図３）に対して、撮像制御部５８２、撮影状況情報生成部５８３、及び機器側表示制御部５８４を備える他、機器側通信制御部５８１の一部の機能を変更した機器側通信制御部５８１Ｃを備えるとともに、通信仕様情報取得部５８５が追加されている。
【０１２０】
ここで、本実施の形態４に係る機器側メモリ部５５には、複数の補助画像供給装置３毎に、当該補助画像供給装置３の設置位置に関する設置位置情報（経度及び緯度に関する情報）、及び当該補助画像供給装置３の通信仕様情報が関連付けられた位置仕様関連情報が記憶されている。なお、当該位置仕様関連情報を機器側メモリ部５５に記憶させる方法は、上述した実施の形態１で説明した通信仕様情報を機器側メモリ部５５に記憶させる方法と同様である（図５の例では、動物園に入場する際に取得）。
すなわち、本実施の形態４に係る機器側メモリ部５５は、本発明に係る記憶部としての機能を有する。
そして、通信仕様情報取得部５８５は、カメラユーザにより入力部５１に撮影操作があった際に位置取得部５９にて取得された現在位置情報と、機器側メモリ部５５に記憶された位置仕様関連情報とに基づいて、複数の補助画像供給装置３のうち、対応機器となる補助画像供給装置３の通信仕様情報を取得する。
具体的に、通信仕様情報取得部５８５は、現在位置情報及び位置仕様関連情報に基づいて、複数の補助画像供給装置３の各設置位置のうち、通信機器５Ｃの現在位置に最も近い設置位置を特定する。そして、通信仕様情報取得部５８５は、位置仕様関連情報に基づいて、当該特定した設置位置（設置位置情報）に関連付けられた通信仕様情報を取得する。
【０１２１】
機器側通信制御部５８１Ｃは、上述した実施の形態１で説明した機器側通信制御部５８１（図３）と同様に、撮像装置本体４との間で通信接続を確立し、撮像装置本体４から特性情報、レンズ位置情報、ライブビュー画像データ、及び撮影画像データを受信する機能の他、以下の機能を有する。
すなわち、機器側通信制御部５８１Ｃは、通信仕様情報取得部５８５にて取得された対応機器となる補助画像供給装置３の通信仕様情報に基づいて、機器側通信部５７を介して、複数の補助画像供給装置３のうち当該対応機器となる補助画像供給装置３との間で通信接続を確立する。そして、機器側通信制御部５８１Ｃは、機器側通信部５７を介して、撮影状況情報生成部５８３にて生成された撮影状況情報（補助画像データの転送要求も含む）を当該補助画像供給装置３に送信するとともに、当該補助画像供給装置３から補助画像データを受信する。
【０１２２】
〔撮像システムの動作〕
次に、本実施の形態４に係る撮像システム１Ｃの動作について説明する。
なお、本実施の形態４に係る撮像装置本体４及び補助画像供給装置３の各動作については、上述した実施の形態１で説明した撮像装置本体４及び補助画像供給装置３の各動作（図７，図１０）と同様である。このため、以下では、本実施の形態４に係る通信機器５Ｃの動作について説明する。
【０１２３】
〔通信機器の動作〕
図２５は、通信機器５Ｃの動作を示すフローチャートである。
本実施の形態４に係る通信機器５Ｃの動作は、図２５に示すように、上述した実施の形態１で説明した通信機器５の動作（図８，図９）に対して、ステップＳ２１２を追加するとともに、ステップＳ２０８の代わりにステップＳ２０８Ｃを追加した点が異なるのみである。このため、以下では、ステップＳ２１２，Ｓ２０８Ｃのみを説明する。
【０１２４】
図２６は、図２５に示した通信仕様情報の取得処理（ステップＳ２１２）を示すフローチャートである。
通信仕様情報の取得処理（ステップＳ２１２）は、図２５に示すように、撮影状況情報の生成処理（ステップＳ２０７）の後に実行される。
具体的に、通信仕様情報取得部５８５は、図２６に示すように、ステップＳ２０５でカメラユーザにより入力部５１に撮影操作があった際（ステップＳ２０５：Ｙｅｓ）に位置取得部５９にて取得された現在位置情報を取得する（ステップＳ２１２Ａ）。
続いて、通信仕様情報取得部５８５は、ステップＳ２１２Ａで取得した現在位置情報と、機器側メモリ部５５に記憶された位置仕様関連情報とに基づいて、複数の補助画像供給装置３の各設置位置のうち、通信機器５Ｃの現在位置に最も近い設置位置を特定する（ステップＳ２１２Ｂ）。
そして、通信仕様情報取得部５８５は、位置仕様関連情報に基づいて、ステップＳ２１２Ｂで特定した設置位置（設置位置情報）に関連付けられた通信仕様情報（対応機器となる補助画像供給装置３の通信仕様情報）を取得する（ステップＳ２１２Ｃ）。この後、通信機器５Ｃは、図２５に示したメインルーチンに戻る。
【０１２５】
ステップＳ２１２の後、機器側通信制御部５８１Ｃは、ステップＳ２１２で取得された対応機器となる補助画像供給装置３の通信仕様情報に基づいて、機器側通信部５７を介して、当該補助画像供給装置３との間で通信接続を確立する（ステップＳ２０８Ｃ）。この後、通信機器５Ｃは、ステップＳ２０９に移行する。
【０１２６】
以上説明した本実施の形態４に係る撮像システム１Ｃのように、通信機器５Ｃが複数の補助画像供給装置３のうち対応機器となる補助画像供給装置３を特定する構成とした場合であっても、上述した実施の形態１，３と同様の効果を奏する。
【０１２７】
（実施の形態５）
次に、本発明の実施の形態５について説明する。
以下の説明では、上述した実施の形態４と同様の構成及びステップには同一符号を付し、その詳細な説明は省略または簡略化する。
本実施の形態５に係る撮像システムは、上述した実施の形態４で説明した撮像システム１Ｃに対して、対応機器となる補助画像供給装置３の通信仕様情報の取得処理を異なる処理で実行する構成としている。
【０１２８】
〔撮像システムの構成〕
以下、本実施の形態５に係る撮像システム１Ｄ（撮像装置２Ｄ及び補助画像供給装置３）について説明する。
なお、撮像装置２Ｄを構成する撮像装置本体４及びアタッチメント６については、上述した実施の形態１，４で説明した撮像装置本体４（図２）及びアタッチメント６（図１）と同様の構成である。また、本実施の形態５に係る補助画像供給装置３は、上述した実施の形態１，４で説明した補助画像供給装置３（図４）と同様の構成である。このため、以下では、撮像装置２Ｄを構成する通信機器５Ｄの構成について説明する。
【０１２９】
〔通信機器の構成〕
図２７は、本発明の実施の形態５に係る通信機器５Ｄの構成を示すブロック図である。
本実施の形態５に係る通信機器５Ｄは、図２７に示すように、上述した実施の形態４で説明した通信機器５Ｃ（図２４）に対して、位置取得部５９が省略されている。
また、本実施の形態５に係る通信機器５Ｄを構成する機器側制御部５８Ｄは、図２７に示すように、上述した実施の形態４で説明した機器側制御部５８Ｃ（図２４）に対して、機器側通信制御部５８１Ｃ、撮像制御部５８２、撮影状況情報生成部５８３、及び機器側表示制御部５８４を備える他、通信仕様情報取得部５８５の一部の機能を変更した通信仕様情報取得部５８５Ｄを備える。
【０１３０】
ここで、本実施の形態５に係る機器側メモリ部５５には、上述した実施の形態４で説明した位置仕様関連情報が記憶されていない。その代わりに、機器側メモリ部５５は、以下に示すコード画像データを記憶する。
具体的に、複数の補助画像供給装置３が設置された環境下には、複数の補助画像供給装置３に対応させて、コード情報表示装置７がそれぞれ設置されている（例えば、図２８参照）。各コード情報表示装置７は、対応する補助画像供給装置３の通信仕様情報がコード化されたコード情報（例えば、ＱＲコード（登録商標）等）をそれぞれ表示する。そして、コード画像データは、カメラユーザによる入力部５１への撮影操作に応じて通信機器５Ｄ（機器側撮像部５４）にてコード情報表示装置７（コード情報）を被写体として撮像された画像データ、または、当該撮影操作に応じて撮像装置本体４（本体側撮像部４６）にてコード情報表示装置７（コード情報）を被写体として撮像され、当該撮像装置本体４から取得した画像データである。
そして、通信仕様情報取得部５８５Ｄは、機器側メモリ部５５に記憶されたコード画像データを読み出し、当該コード画像データに含まれるコード情報を解析することで、対応機器となる補助画像供給装置３の通信仕様情報を取得する。
【０１３１】
〔撮像システムの動作〕
次に、本実施の形態５に係る撮像システム１Ｄの動作について説明する。
図２８は、撮像システム１Ｄの使用態様の一例を示す図である。具体的に、図２８は、図５に対応し、３つの補助画像供給装置３、及び当該３つの補助画像供給装置３にそれぞれ対応した３つのコード情報表示装置７が設置される環境を動物園としている。
なお、本実施の形態５に係る撮像装置本体４及び補助画像供給装置３の各動作については、上述した実施の形態１，４で説明した撮像装置本体４及び補助画像供給装置３の各動作（図７，図１０）と同様である。このため、以下では、本実施の形態５に係る通信機器５Ｄの動作について説明する。
【０１３２】
〔通信機器の動作〕
本実施の形態５に係る通信機器５Ｄの動作は、上述した実施の形態４で説明した通信機器５Ｃの動作（図２５，図２６）に対して、通信仕様情報の取得処理（ステップＳ２１２）が異なるのみである。
このため、以下では、本実施の形態５に係る通信仕様情報の取得処理（ステップＳ２１２）のみを説明する。
図２９は、本発明の実施の形態５に係る通信仕様情報の取得処理（ステップＳ２１２）を示すフローチャートである。
なお、カメラユーザは、撮影画像及び補助画像を関連付けたアルバムを作成する前に、撮影位置の近くに設置されたコード情報表示装置７（図２８の例では、３つのコード情報表示装置７のうち最も右側に設置されたコード情報表示装置７）に表示されたコード情報を撮像装置本体４（本体側撮像部４６）または通信機器５Ｄ（機器側撮像部５４）を利用して撮像しているものとする。すなわち、機器側メモリ部５５には、コード画像データが記憶されているものとする。
【０１３３】
通信仕様情報取得部５８５Ｄは、機器側メモリ部５５に記憶されたコード画像データを読み出す（ステップＳ２１２Ｄ）。
そして、通信仕様情報取得部５８５Ｄは、当該コード画像データに含まれるコード情報を解析し、対応機器となる補助画像供給装置３（図２８の例では、３つの補助画像供給装置３のうち最も右側に設置された補助画像供給装置３）の通信仕様情報を取得する（ステップＳ２１２Ｅ）。
【０１３４】
以上説明した本実施の形態５に係る撮像システム１Ｄのように、コード情報表示装置７に表示されたコード情報を解析して対応機器となる補助画像供給装置３の通信仕様情報を取得するように構成した場合であっても、上述した実施の形態４と同様の効果を奏する。
【０１３５】
（実施の形態６）
次に、本発明の実施の形態６について説明する。
以下の説明では、上述した実施の形態１と同様の構成及びステップには同一符号を付し、その詳細な説明は省略または簡略化する。
本実施の形態６に係る撮像システムは、上述した実施の形態１で説明した撮像システム１に対して、サーバを用いて補助画像供給装置を構成するとともに、サーバにて撮影画像及び補助画像を関連付けたアルバムを生成及び管理する構成としている。
【０１３６】
〔撮像システムの構成〕
以下、本実施の形態６に係る撮像システム１Ｅ（撮像装置２Ｅ及び補助画像供給装置３Ｅ）について説明する。
図３０は、本発明の実施の形態６に係る撮像システム１Ｅの構成を模式的に示す図である。
本実施の形態６に係る撮像システム１Ｅは、図３０に示すように、上述した実施の形態１で説明した撮像システム１（図１）に対して、撮像装置２の一部の機能を変更した撮像装置２Ｅと、サーバ８を用いた補助画像供給装置３Ｅとを備える。
なお、撮像装置２Ｅを構成するアタッチメント６については、上述した実施の形態１で説明したアタッチメント６（図１）と同様の構成である。このため、以下では、撮像装置２Ｅを構成する撮像装置本体４Ｅ及び通信機器５Ｅ、並びに、補助画像供給装置３Ｅの構成について説明する。
【０１３７】
〔撮像装置本体の構成〕
図３１は、撮像装置本体４Ｅの構成を示すブロック図である。
本実施の形態６に係る撮像装置本体４Ｅは、上述した実施の形態１で説明した撮像装置本体４（図２）に対して、本体側制御部５０の一部の機能が変更されている。
具体的に、本実施の形態６に係る撮像装置本体４Ｅを構成する本体側制御部５０Ｅ（図３１）は、上述した実施の形態１で説明した本体側制御部５０と同様の機能の他、以下の機能を有する。
すなわち、本体側制御部５０Ｅは、本体側通信部４９を介して、通信機器５Ｅから撮影状況情報（特徴情報（第２タイムスタンプを含む））、及びサーバ８におけるインターネット網Ｎ（図３０）上の所在位置を示す所在位置情報（ＵＲＬ（Ｕｎｉｆｏｒｍ  Ｒｅｓｏｕｒｃｅ  Ｌｏｃａｔｏｒ））を受信する。また、本体側制御部５０Ｅは、当該受信した所在位置情報（ＵＲＬ）に基づいて、本体側通信部４９を介して、インターネット網Ｎに接続されたサーバ８にアクセス信号（アルバムの生成及び管理を要求するアルバム登録要求（自身の撮像装置本体４Ｅ（撮像装置２Ｅ）を識別する識別情報を含む））を送信し、サーバ８との間で通信接続を確立する。そして、本体側制御部５０Ｅは、撮影画像データ（第１タイムスタンプを含む）及び撮影状況情報（特徴情報（第２タイムスタンプを含む））をサーバ８に送信する。すなわち、本実施の形態６に係る本体側制御部５０Ｅは、上述した実施の形態１で説明した本体側制御部５０に対して、本体側通信部４９を介して、通信機器５Ｅに撮影画像データを送信する機能が省略されている。
そして、本実施の形態６に係る本体側通信部４９は、本発明に係る通信部としての機能を有する。また、本実施の形態６に係る本体側制御部５０Ｅは、本発明に係る通信制御部としての機能を有する。
【０１３８】
〔通信機器の構成〕
図３２は、通信機器５Ｅの構成を示すブロック図である。
本実施の形態６に係る通信機器５Ｅは、上述した実施の形態１で説明した通信機器５（図３）に対して、機器側制御部５８の一部の機能が変更されている。
具体的に、本実施の形態６に係る通信機器５Ｅを構成する機器側制御部５８Ｅは、図３２に示すように、上述した実施の形態１で説明した機器側制御部５８に対して、撮影状況情報生成部５８３を備える他、機器側通信制御部５８１、撮像制御部５８２、及び機器側表示制御部５８４の一部の機能を変更した機器側通信制御部５８１Ｅ、撮像制御部５８２Ｅ、及び機器側表示制御部５８４Ｅを備える。
【０１３９】
ここで、本実施の形態６に係る機器側記録部５６には、サーバ８におけるインターネット網Ｎ上の所在位置を示す所在位置情報（ＵＲＬ）が記録されている。
機器側通信制御部５８１Ｅは、上述した実施の形態１で説明した機器側通信制御部５８１（図３）と同様に、撮像装置本体４Ｅとの間で通信接続を確立し、撮像装置本体４Ｅから特性情報、レンズ位置情報、及びライブビュー画像データを受信する機能の他、以下の機能を有する。
すなわち、機器側通信制御部５８１Ｅは、通信機器５Ｅがアルバムモード（サーバ８にて管理されているアルバムを閲覧するモード）に設定された場合に、機器側記録部５６に記録された所在位置情報（ＵＲＬ）に基づいて、機器側通信部５７を介して、インターネット網Ｎに接続されたサーバ８にアクセス信号（当該サーバ８にて管理されているアルバムを含むアルバム表示ページの送信を要求するアルバム表示要求（自身の通信機器５Ｅ（撮像装置２Ｅ）を識別する識別情報を含む））を送信し、サーバ８との間で通信接続を確立する。
【０１４０】
撮像制御部５８２Ｅは、上述した実施の形態１で説明した撮像制御部５８２（図３）に対して、通信機器５Ｅがカメラ通信モードに設定されている際に実行する機能として、撮像装置本体４Ｅから撮影画像データを受信し画像データ記録部５６２に記録する機能、及び補助画像供給装置３Ｅから補助画像データを受信し撮影画像データに関連付けて画像データ記録部５６２に記録する機能が省略されている。また、撮像制御部５８２Ｅは、カメラユーザによる入力部５１への撮影操作に応じて、機器側通信部５７を介して、撮影指示とともに、撮影状況情報生成部５８３にて生成された撮影状況情報（特徴情報（第２タイムスタンプを含む））、及び機器側記録部５６に記録された所在位置情報（ＵＲＬ）を撮像装置本体４Ｅに送信する。
【０１４１】
機器側表示制御部５８４Ｅは、上述した実施の形態１で説明した機器側表示制御部５８４（図３）と同様の機能の他、アルバム表示要求に応じてサーバ８からアルバム表示ページを受信した場合に、表示部５２の動作を制御し、当該アルバム表示ページを表示させる機能を有する。
【０１４２】
〔補助画像供給装置の構成〕
本実施の形態６に係る補助画像供給装置３Ｅは、図３０に示すように、サーバ８と、複数（本実施の形態６では、３つ）の補助撮像装置９とを備える。
以下、３つの補助撮像装置９、及びサーバ８の構成について説明する。
【０１４３】
〔補助撮像装置の構成〕
図３３は、補助撮像装置９の構成を示すブロック図である。
本実施の形態６に係る３つの補助撮像装置９は、同一の構成を有する。このため、以下では、１つの補助撮像装置９の構成のみについて説明する。
本実施の形態６に係る補助撮像装置９は、上述した実施の形態１で説明した補助画像供給装置３（図４）と略同様の構成を有する。より具体的に、補助撮像装置９は、上述した実施の形態１で説明した補助画像供給装置３に対して、供給側記録部３７の代わりに、補助記録部３７１が省略された供給側記録部３７Ｅを採用している。
また、本実施の形態６に係る補助撮像装置９は、上述した実施の形態１で説明した補助画像供給装置３に対して、供給側制御部３９の一部の機能が変更されている。より具体的に、本実施の形態６に係る補助撮像装置９を構成する供給側制御部３９Ｅは、上述した実施の形態１で説明した供給側制御部３９に対して、データ抽出部３９２が省略されるとともに、供給側通信制御部３９１の機能が変更された供給側通信制御部３９１Ｅを備える。
供給側通信制御部３９１Ｅは、供給側通信部３８を介して、サーバ８との間で通信接続を確立する。なお、補助撮像装置９及びサーバ８間の通信接続としては、インターネット網Ｎを介して通信接続を行ってもよく、あるいは、撮像装置本体４Ｅ及び通信機器５Ｅ間と同様にＷｉ−Ｆｉ（登録商標）等の通信方式により直接、通信接続を行っても構わない。そして、供給側通信制御部３９１Ｅは、供給側撮像部３５にて生成された補助画像データ（第３タイムスタンプを含む）を順次、サーバ８に送信する。
【０１４４】
〔サーバの構成〕
サーバ８は、カメラユーザにより撮像装置２Ｅを利用して撮像された撮影画像、及び補助撮像装置９にて撮像され、当該撮像画像に関連する補助画像を関連付けたアルバムを生成及び管理するサーバである。
なお、以下では、サーバ８の構成として、本発明の要部を主に説明する。
図３４は、サーバ８の構成を示すブロック図である。
サーバ８は、図３４に示すように、サーバ側通信部８１と、画像データベース８２と、サーバ側制御部８３とを備える。
サーバ側通信部８１は、本発明に係る補助通信部としての機能を有し、サーバ側制御部８３による制御の下、撮像装置本体４Ｅ、通信機器５Ｅ、及び補助撮像装置９との間で通信に必要な信号を含む各種データの無線通信を所定の通信方式により行うための通信インターフェースである。
【０１４５】
画像データベース８２は、図３４に示すように、補助記録部８２１と、関連記録部８２２とを備える。
補助記録部８２１は、サーバ側制御部８３による制御の下、サーバ側通信部８１を介して３つの補助撮像装置９からそれぞれ受信した補助画像データ（第３タイムスタンプを含む）を記録する。
関連記録部８２２は、サーバ側制御部８３による制御の下、サーバ側通信部８１を介して撮像装置本体４Ｅから受信した撮影画像データ（第１タイムスタンプを含む）、及び、補助記録部８２１に記録された複数の補助画像データのうち当該撮影画像データに関連する補助画像データを関連付けて記録する。ここで、互いに関連付けられた撮影画像データ及び補助画像データには、当該撮影画像データを送信した送信元の撮像装置本体４Ｅ（撮像装置２Ｅ）の識別情報がさらに関連付けられている。
【０１４６】
サーバ側制御部８３は、ＣＰＵ等を用いて構成され、サーバ８の動作を統括的に接続する。このサーバ側制御部８３は、図３４に示すように、サーバ側通信制御部８３１と、端末判定部８３２と、画像データベース管理部８３３と、データ抽出部８３４と、サーバ側表示制御部８３５とを備える。
サーバ側通信制御部８３１は、本発明に係る補助通信制御部としての機能を有し、インターネット網Ｎを介して撮像装置本体４Ｅから送信されるアクセス信号（アルバム登録要求（当該撮像装置本体４Ｅ（撮像装置２Ｅ）の識別情報を含む））に応じて、サーバ側通信部８１の動作を制御し、撮像装置本体４Ｅとの間で通信接続を確立する。そして、サーバ側通信制御部８３１は、撮像装置本体４Ｅから撮影画像データ（第１タイムスタンプを含む）及び撮影状況情報（特徴情報（第２タイムスタンプを含む））を受信する。
また、サーバ側通信制御部８３１は、インターネット網Ｎを介して通信機器５Ｅから送信されるアクセス信号（アルバム表示要求（当該通信機器５Ｅ（撮像装置２Ｅ）の識別情報を含む））に応じて、サーバ側通信部８１の動作を制御し、通信機器５Ｅとの間で通信接続を確立する。
さらに、サーバ側通信制御部８３１は、サーバ側通信部８１を介して、３つの補助撮像装置９とそれぞれ通信接続を確立し、３つの補助撮像装置９からそれぞれ補助画像データ（第３タイムスタンプを含む）を順次、受信する。
【０１４７】
端末判定部８３２は、インターネット網Ｎを介して撮像装置本体４Ｅや通信機器５Ｅから送信されるアクセス信号に基づいて、アクセスしてきた送信元の撮像装置本体４Ｅや通信機器５Ｅを判定（特定）する。
【０１４８】
画像データベース管理部８３３は、画像データベース８２を管理する。
具体的に、画像データベース管理部８３３は、サーバ側通信部８１を介して３つの補助撮像装置９から受信した補助画像データ（第３タイムスタンプを含む）を順次、補助記録部８２１に記録する。
また、画像データベース管理部８３３は、サーバ側通信部８１を介して撮像装置本体４Ｅから受信した撮影画像データと、補助記録部８２１に記録された複数の補助画像データのうち、データ抽出部８３４にて当該撮影画像データに基づいて抽出された補助画像データとを関連付けて関連記録部８２２に記録する。ここで、画像データベース管理部８３３は、撮影画像データを送信した送信元の撮像装置本体４Ｅ（撮像装置２Ｅ）の識別情報を当該撮影画像データに関連付ける。
【０１４９】
データ抽出部８３４は、サーバ側通信部８１を介して撮像装置本体４Ｅから受信した撮影状況情報（特徴情報（第２タイムスタンプを含む））に基づいて、補助記録部８２１に記録された複数の補助画像データ（第３タイムスタンプを含む）から、当該撮影状況情報に含まれる第２タイムスタンプと略同一の日時を示す第３タイムスタンプが付加され、かつ、当該撮影状況情報に含まれる特徴情報と略同一の特徴情報を有する被写体像を含む補助画像データを抽出する。すなわち、データ抽出部８３４は、補助記録部８２１に記録された複数の補助画像データから、撮像装置本体４Ｅにて撮像された撮影画像データに関連する補助画像データを抽出する。
【０１５０】
サーバ側表示制御部８３５は、サーバ側通信部８１を介して通信機器５Ｅから受信したアクセス信号（アルバム表示要求）に応じて、指定された指定ページを当該通信機器５Ｅに送信し、当該指定ページに対応する画像を当該通信機器５Ｅに表示させる。
【０１５１】
〔撮像システムの動作〕
次に、本実施の形態６に係る撮像システム１Ｅの動作について説明する。
以下、撮像システム１Ｅの動作として、撮像装置本体４Ｅの動作、通信機器５Ｅの動作、補助撮像装置９の動作、及びサーバ８の動作を順に説明する。
【０１５２】
〔撮像装置本体の動作〕
図３５は、撮像装置本体４Ｅの動作を示すフローチャートである。
本実施の形態６に係る撮像装置本体４Ｅの動作は、図３５に示すように、上述した実施の形態１で説明した撮像装置本体４の動作（図７）に対して、ステップＳ１０９，Ｓ１１０の代わりにステップＳ１１３〜Ｓ１１５を追加した点が異なるのみである。このため、以下では、ステップＳ１１３〜Ｓ１１５のみを説明する。
【０１５３】
ステップＳ１１３は、ステップＳ１０８の後に実行される。
具体的に、本体側制御部５０Ｅは、ステップＳ１１３において、本体側通信部４９を介して、通信機器５Ｅから撮影状況情報（特徴情報（第２タイムスタンプを含む））及び所在位置情報（ＵＲＬ）を受信したか否かを判断する。
撮影状況情報及び所在位置情報を受信していないと判断された場合（ステップＳ１１３：Ｎｏ）には、撮像装置本体４Ｅは、ステップＳ１０１に戻る。
一方、撮影状況情報及び所在位置情報を受信したと判断した場合（ステップＳ１１３：Ｙｅｓ）には、当該所在位置情報に基づいて、本体側通信部４９を介して、インターネット網Ｎに接続されたサーバ８にアクセス信号（アルバム登録要求（自身の撮像装置本体４Ｅ（撮像装置２Ｅ）の識別情報を含む））を送信し、サーバ８との間で通信接続を確立する（ステップＳ１１４）。
続いて、本体側通信部４９は、ステップＳ１０８で本体側記録部４８に記録された最新の撮影画像データ（第１タイムスタンプを含む）、及びステップＳ１１３で受信した撮影状況情報（特徴情報（第２タイムスタンプを含む））をサーバ８に送信する（ステップＳ１１５）。この後、撮像装置本体４Ｅは、ステップＳ１０１に戻る。
【０１５４】
〔通信機器の動作〕
図３６は、通信機器５Ｅの動作を示すフローチャートである。
本実施の形態６に係る通信機器５Ｅの動作は、図３６に示すように、上述した実施の形態１で説明した通信機器５の動作（図８，図９）に対して、ステップＳ２０６，Ｓ２０８〜Ｓ２１０を省略するとともに、ステップＳ２１３〜Ｓ２２１を追加した点が異なるのみである。このため、以下では、ステップＳ２１３〜Ｓ２２１のみを説明する。
【０１５５】
ステップＳ２１３は、ステップＳ２０１で通信機器５Ｅの電源がオンになった（ステップＳ２０１：Ｙｅｓ）後に実行される。
具体的に、機器側表示制御部５８４Ｅは、ステップＳ２１３において、各種モードの選択を促す初期画面を表示部５２に表示させる。
図３７は、ステップＳ２１３で表示される初期画面Ｗ１の一例を示す図である。
例えば、機器側表示制御部５８４Ｅは、ステップＳ２１３において、図３７に示す初期画面Ｗ１を表示部５２に表示させる。
この初期画面Ｗ１には、図３７に示すように、「カメラ通信モード」の選択操作を受け付ける操作アイコンＡ１と、「アルバムモード」の選択操作を受け付ける操作アイコンＡ２等が表示されている。
【０１５６】
続いて、機器側制御部５８Ｅは、カメラユーザによる入力部５１への操作により、「カメラ通信モード」が選択（図３７の例では、タッチパネル（入力部５１）への操作により、操作アイコンＡ１がタッチ）されたか否かを判断する（ステップＳ２１４）。
「カメラ通信モード」が選択されたと判断された場合（ステップＳ２１４：Ｙｅｓ）には、通信機器５Ｅは、ステップＳ２０２に移行する。
【０１５７】
ステップＳ２１５は、ステップＳ２０２で撮像装置本体４Ｅとの間で通信接続を確立していないと判断された場合（ステップＳ２０２：Ｎｏ）に実行される。
具体的に、機器側制御部５８Ｅは、ステップＳ２１５において、カメラユーザにより入力部５１に対して各種モードの選択を促す初期画面（例えば図３７に示した初期画面Ｗ１）の表示操作があったか否かを判断する。
初期画面の表示操作があったと判断された場合（ステップＳ２１５：Ｙｅｓ）には、通信機器５Ｅは、ステップＳ２０１に戻り、ステップＳ２１３で初期画面を表示する。
一方、初期画面の表示操作がないと判断された場合（ステップＳ２１５：Ｎｏ）には、通信機器５Ｅは、ステップＳ２１４に戻り、既に設定されたモードを継続する。
【０１５８】
本実施の形態６に係る通信機器５Ｅの動作では、上述した実施の形態１で説明した通信機器５の動作に対して、ステップＳ２０６が省略されている。このため、撮影状況情報の生成処理（ステップＳ２０７）は、ステップＳ２０５で撮影操作があったと判断された場合（ステップＳ２０５：Ｙｅｓ）に実行される。
また、ステップＳ２１６は、撮影状況情報の生成処理（ステップＳ２０７）の後に実行される。
具体的に、撮像制御部５８２Ｅは、ステップＳ２１６において、機器側通信部５７を介して、撮影指示とともに、撮影状況情報の生成処理（ステップＳ２０７）で生成された撮影状況情報、及び機器側記録部５６に記録された所在位置情報（ＵＲＬ）を撮像装置本体４Ｅに送信する。この後、通信機器５Ｅは、ステップＳ２０２に戻る。
【０１５９】
ステップＳ２１７は、ステップＳ２１４で「カメラ通信モード」が選択されていないと判断した場合（ステップＳ２１４：Ｎｏ）に実行される。
具体的に、機器側制御部５８Ｅは、ステップＳ２１７において、カメラユーザによる入力部５１への操作により、「アルバムモード」が選択（図３７の例では、タッチパネル（入力部５１）への操作により、操作アイコンＡ２がタッチ）されたか否かを判断する。
「アルバムモード」が選択されていないと判断された場合（ステップＳ２１７：Ｎｏ）には、通信機器５Ｅは、ステップＳ２０１に戻る。
一方、「アルバムモード」が選択されたと判断された場合（ステップＳ２１７：Ｙｅｓ）には、機器側通信制御部５８１Ｅは、機器側記録部５６に記録された所在位置情報（ＵＲＬ）に基づいて、機器側通信部５７を介して、インターネット網Ｎに接続されたサーバ８にアクセス信号（アルバム表示要求（自身の通信機器５Ｅ（撮像装置２Ｅ）の識別情報を含む））を送信し、サーバ８との間で通信接続を確立する（ステップＳ２１８）。
【０１６０】
続いて、機器側表示制御部５８４Ｅは、機器側通信部５７を介して、サーバ８から受信したアルバム表示ページを表示部５２に表示させる（ステップＳ２１９）。
図３８は、ステップＳ２１９で表示されるアルバム表示ページＷ２の一例を示す図である。
例えば、機器側表示制御部５８４Ｅは、ステップＳ２１９において、図３８に示すアルバム表示ページＷ２を表示部５２に表示させる。
このアルバム表示ページＷ２には、図３８に示すように、当該ページのタイトル（アルバム表示）を示すタイトル画像Ｔ１と、撮像装置２Ｅにて撮像した撮影画像Ｗ１００と、当該撮影画像Ｗ１００に関連する補助画像Ｗ３００と、表示対象とする画像Ｗ１００，Ｗ３００を変更する変更操作を受け付ける操作アイコンＡ３，Ａ４と、「アルバム表示モード」を終了する終了操作を受け付ける操作アイコンＡ５等が表示されている。
【０１６１】
続いて、機器側制御部５８Ｅは、カメラユーザにより入力部５１に対して変更操作（図３８の例では、タッチパネル（入力部５１）への操作により、操作アイコンＡ３，Ａ４がタッチ）があったか否かを判断する（ステップＳ２２０）。
変更操作があったと判断された場合（ステップＳ２２０：Ｙｅｓ）には、機器側表示制御部５８４Ｅは、機器側通信部５７を介して、サーバ８に対してアルバム表示ページの変更要求を行う。そして、機器側表示制御部５８４Ｅは、ステップＳ２１９に戻り、当該変更要求に応じてサーバ８から受信した変更後のアルバム表示ページを表示部５２に表示させる。
【０１６２】
一方、変更操作がないと判断した場合（ステップＳ２２０：Ｎｏ）には、機器側制御部５８Ｅは、カメラユーザにより入力部５１に対して終了操作（図３８の例では、タッチパネル（入力部５１）への操作により、操作アイコンＡ５がタッチ）があったか否かを判断する（ステップＳ２２１）。
終了操作がないと判断された場合（ステップＳ２２１：Ｎｏ）には、通信機器５Ｅは、ステップＳ２１９に戻り、アルバム表示ページの表示を継続する。
一方、終了操作があったと判断された場合（ステップＳ２２１：Ｙｅｓ）には、通信機器５Ｅは、ステップＳ２０１に戻る。
【０１６３】
〔補助撮像装置の動作〕
図３９は、補助撮像装置９の動作を示すフローチャートである。
補助撮像装置９の動作は、図３９に示すように、上述した実施の形態１で説明した補助画像供給装置３の動作（図１０）に対して、ステップＳ３０２〜Ｓ３０５を省略するとともに、ステップＳ３１０を追加した点が異なるのみである。このため、以下では、ステップＳ３１０のみを説明する。
ステップＳ３１０は、ステップＳ３０１の後に実行される。
具体的に、供給側通信制御部３９１Ｅは、ステップＳ３１０において、ステップＳ３０１で供給側撮像部３５にて生成された補助画像データ（第３タイムスタンプを含む）を順次、サーバ８に送信する。
【０１６４】
〔サーバの動作〕
図４０は、サーバ８の動作を示すフローチャートである。
サーバ側通信制御部８３１は、サーバ側通信部８１を介して、補助撮像装置９から補助画像データ（第３タイムスタンプを含む）を受信したか否かを判断する（ステップＳ４０１）。
補助画像データを受信したと判断された場合（ステップＳ４０１：Ｙｅｓ）には、画像データベース管理部８３３は、当該受信した補助画像データ（第３タイムスタンプを含む）を補助記録部８２１に記録する（ステップＳ４０２）。
【０１６５】
続いて、サーバ側通信制御部８３１は、サーバ側通信部８１及びインターネット網Ｎを介して、撮像装置本体４Ｅまたは通信機器５Ｅからアクセス信号を受信したか否かを判断する（ステップＳ４０３）。なお、補助画像データを受信していないと判断された場合（ステップＳ４０１：Ｎｏ）でも同様のステップＳ４０３が実行される。
アクセス信号を受信していないと判断された場合（ステップＳ４０３：Ｎｏ）には、サーバ８は、ステップＳ４０１に戻る。
一方、アクセス信号を受信したと判断した場合（ステップＳ４０３：Ｙｅｓ）には、サーバ側通信制御部８３１は、当該アクセス信号がアルバム登録要求であるか否かを判断する（ステップＳ４０４）。
【０１６６】
アクセス信号がアルバム登録要求であると判断された場合（ステップＳ４０４：Ｙｅｓ）には、端末判定部８３２は、当該アクセス信号に基づいて、アクセスしてきた送信元の撮像装置本体４Ｅ（撮像装置２Ｅ）を特定する（ステップＳ４０５）。
続いて、サーバ側通信制御部８３１は、サーバ側通信部８１及びインターネット網Ｎを介して、撮像装置本体４Ｅから撮影画像データ（第１タイムスタンプを含む）及び撮影状況情報（特徴情報（第２タイムスタンプを含む）を受信する（ステップＳ４０６）。
【０１６７】
続いて、データ抽出部８３４は、ステップＳ４０６で撮像装置本体４Ｅから受信した撮影状況情報（特徴情報（第２タイムスタンプを含む））に基づいて、ステップＳ４０２で補助記録部８２１に記録された複数の補助画像データ（第３タイムスタンプを含む）から、当該撮影状況情報に含まれる第２タイムスタンプと略同一の日時を示す第３タイムスタンプが付加され、かつ、当該撮影状況情報に含まれる特徴情報と略同一の特徴情報を有する被写体像を含む補助画像データを抽出する（ステップＳ４０７）。
続いて、画像データベース管理部８３３は、ステップＳ４０６で撮像装置本体４Ｅから受信した撮影画像データと、ステップＳ４０７で抽出された補助画像データとを関連付けて関連記録部８２２に記録する（ステップＳ４０８）。また、画像データベース管理部８３３は、ステップＳ４０５にて特定された撮像装置本体４Ｅ（撮像装置２Ｅ）の識別情報（ステップＳ４０３で受信したアクセス信号に含まれる識別情報）を、当該撮影画像データ及び補助画像データに関連付ける。この後、サーバ８は、ステップＳ４０１に戻る。
【０１６８】
ステップＳ４０４でアクセス信号がアルバム登録要求ではないと判断された場合（ステップＳ４０４：Ｎｏ）には、サーバ側通信制御部８３１は、当該アクセス信号がアルバム表示要求であるか否かを判断する（ステップＳ４０９）。
アクセス信号がアルバム表示要求ではないと判断された場合（ステップＳ４０９：Ｎｏ）には、サーバ８は、ステップＳ４０１に戻る。
一方、アクセス信号がアルバム表示要求であると判断された場合（ステップＳ４０９：Ｙｅｓ）には、端末判定部８３２は、当該アクセス信号に基づいて、アクセスしてきた送信元の通信機器５Ｅ（撮像装置２Ｅ）を特定する（ステップＳ４１０）。
【０１６９】
続いて、サーバ側表示制御部８３５は、ステップＳ４０８で関連記録部８２２に記録された複数の撮影画像データ及び補助画像データのうち、ステップＳ４１０で特定された通信機器５Ｅ（撮像装置２Ｅ）の識別情報が関連付けられた撮影画像データ及び補助画像データを特定する。そして、サーバ側表示制御部８３５は、当該特定した撮影画像データ及び補助画像データに基づいて、アクセス信号（アルバム表示要求）に応じて指定されたアルバム表示ページ（例えば、図３８に示したアルバム表示ページＷ２）を生成し、サーバ側通信部８１及びインターネット網Ｎを介して、ステップＳ４１０で特定された通信機器５Ｅに送信する（ステップＳ４１１）。この後、サーバ８は、ステップＳ４０１に戻る。
【０１７０】
以上説明した本実施の形態６に係る撮像システム１Ｅのように、サーバ８にて撮影画像及び補助画像を関連付けたアルバムを生成及び管理する構成とした場合であっても、上述した実施の形態１と同様の効果を奏する。
【０１７１】
（実施の形態６の変形例）
上述した実施の形態６に係る撮像システム１Ｅでは、撮影状況情報は、インカメラ画像データに含まれる撮影者に相当する被写体像の特徴に関する特徴情報を含んで構成されていたが、これに限られない。
例えば、上述した実施の形態２と同様に、インカメラ画像データを撮影状況情報としても構わない。この際、サーバ８を構成するデータ抽出部８３４に、上述した実施の形態２で説明したデータ抽出部３９２Ａと同様の機能を持たせればよい。
また、例えば、上述した実施の形態３と同様に、撮像装置２Ｅの現在位置に関する現在位置情報を含む情報を撮影状況情報としても構わない。この際、サーバ８の画像データベース管理部８３３は、補助画像データを当該補助画像データの送信元である補助撮像装置９毎に補助記録部８２１に記録する。また、サーバ８に、複数の補助撮像装置９が設置された各設置位置に関する複数の設置位置情報（経度や緯度に関する情報）を記録する位置記録部を設ける。そして、データ抽出部８３４は、撮像装置２Ｅから送信された撮影状況情報に含まれる現在位置情報、及び位置記録部に記録された複数の設置位置情報に基づいて、補助記録部８２１に記録された複数の補助画像データから、当該現在位置情報に基づく位置に最も近い位置に設置された補助撮像装置９にて撮像された補助画像データを抽出する。
【０１７２】
（実施の形態７）
次に、本発明の実施の形態７について説明する。
以下の説明では、上述した実施の形態１，６と同様の構成及びステップには同一符号を付し、その詳細な説明は省略または簡略化する。
上述した実施の形態１に係る撮像システム１では、通信機器５は、カメラユーザによる操作部４４または入力部５１への撮影操作に応じて、撮影画像データに関連する補助画像データを取得していた。
これに対して本実施の形態７に係る撮像システムでは、通信機器は、カメラユーザによる入力部５１への表示操作（撮影画像データに対応する撮影画像を表示部に表示させる操作）に応じて、当該表示対象となる撮影画像データに関連する補助画像データを取得するように構成されている。
【０１７３】
〔撮像システムの構成〕
以下、本実施の形態７に係る撮像システム１Ｆ（撮像装置２Ｆ及び補助画像供給装置３Ｆ）について説明する。
図４１は、本発明の実施の形態７に係る撮像システム１Ｆの構成を模式的に示す図である。
本実施の形態７に係る撮像システム１Ｆは、図４１に示すように、上述した実施の形態６で説明した撮像システム１Ｅ（図３０）に対して、撮像装置２Ｅ及び補助画像供給装置３Ｅの一部の機能を変更した撮像装置２Ｆ及び補助画像供給装置３Ｆを備える。
なお、撮像装置２Ｆを構成する撮像装置本体４及びアタッチメント６については、上述した実施の形態１で説明した撮像装置本体４（図２）及びアタッチメント６（図１）と同様の構成である。また、補助画像供給装置３Ｆを構成する補助撮像装置９は、上述した実施の形態６で説明した補助撮像装置９（図３３）と同様の構成である。このため、以下では、撮像装置２Ｆを構成する通信機器５Ｆ、及び補助画像供給装置３Ｆを構成するサーバ８Ｆの構成について説明する。
そして、本実施の形態７に係る撮像システム１Ｆは、本発明に係る表示システムに相当する。また、本実施の形態７に係る通信機器５Ｆは、本発明に係る表示装置に相当する。
【０１７４】
〔通信機器の構成〕
図４２は、通信機器５Ｆの構成を示すブロック図である。
本実施の形態７に係る通信機器５Ｆは、上述した実施の形態６で説明した通信機器５Ｅ（図３２）に対して、機器側制御部５８Ｅの一部の機能が変更されている。
具体的に、本実施の形態７に係る通信機器５Ｆを構成する機器側制御部５８Ｆは、図４２に示すように、上述した実施の形態６で説明した機器側制御部５８Ｅに対して、撮影状況情報生成部５８３を備える他、機器側通信制御部５８１Ｅ、撮像制御部５８２Ｅ、及び機器側表示制御部５８４Ｅの一部の機能を変更した機器側通信制御部５８１Ｆ、撮像制御部５８２Ｆ、及び機器側表示制御部５８４Ｆを備える。
【０１７５】
機器側通信制御部５８１Ｆは、上述した実施の形態１で説明した機器側通信制御部５８１（図３）と同様に、撮像装置本体４Ｆとの間で通信接続を確立し、撮像装置本体４Ｆから特性情報、レンズ位置情報、ライブビュー画像データ、及び撮影画像データを受信する機能の他、以下の機能を有する。
すなわち、機器側通信制御部５８１Ｆは、通信機器５Ｆが再生モード（画像データ記録部５６２に記録された複数の撮影画像データに対応する各撮影画像を表示するモード）に設定された場合に、以下の処理を実行する。
具体的に、機器側通信制御部５８１Ｆは、カメラユーザにより入力部５１に対して表示操作（複数の撮影画像データのうち一の撮影画像データに対応する撮影画像を表示する操作）があった場合に、機器側記録部５６に記録された所在位置情報（ＵＲＬ）に基づいて、機器側通信部５７を介して、インターネット網Ｎに接続されたサーバ８Ｆにアクセス信号（当該サーバ８Ｆにて管理されている補助画像データの転送を要求する補助画像転送要求（自身の通信機器５Ｆ（撮像装置２Ｆ）を識別する識別情報を含む））を送信し、サーバ８Ｆとの間で通信接続を確立する。そして、機器側通信制御部５８１Ｆは、表示対象である当該一の撮影画像データに関連付けられた撮影状況情報（特徴情報（第２タイムスタンプを含む））をサーバ８Ｆに送信する。
【０１７６】
撮像制御部５８２Ｆは、上述した実施の形態１で説明した撮像制御部５８２（図３）と同様の機能の他、以下の機能を有する。
すなわち、撮像制御部５８２Ｆは、撮影状況情報生成部５８３にて撮影状況情報（特徴情報（第２タイムスタンプを含む））が生成された場合に、当該生成された撮影状況情報と、撮影指示に応じて撮像装置本体４Ｆから転送された撮影画像データとを関連付けて画像データ記録部５６２に記録する。
【０１７７】
機器側表示制御部５８４Ｆは、上述した実施の形態１で説明した機器側表示制御部５８４（図３）と同様の機能の他、以下の機能を有する。
すなわち、機器側表示制御部５８４Ｆは、通信機器５Ｆが再生モードに設定された場合に、画像データ記録部５６２に記録された複数の撮影画像データに対応する各撮影画像を表示部５２にサムネイル表示させる。また、機器側表示制御部５８４Ｆは、当該サムネイル表示を行っている際に、カメラユーザにより入力部５１に対して表示操作（当該サムネイル表示された複数の撮影画像のうち一の撮影画像を拡大して表示する操作）があった場合に、表示対象である当該一の撮影画像を表示部５２に拡大表示させる。また、機器側表示制御部５８４Ｆは、サーバ８Ｆから表示対象である当該一の撮影画像に関連する補助画像（補助画像データ）が転送された場合に、当該一の撮影画像と当該補助画像とを並べて表示部５２に表示させる。
【０１７８】
〔サーバの構成〕
図４３は、サーバ８Ｆの構成を示すブロック図である。
本実施の形態７に係るサーバ８Ｆは、補助撮像装置９にて撮像された補助画像のみを管理するサーバである。
このため、サーバ８Ｆは、上述した実施の形態６で説明したサーバ８（図３４）に対して、画像データベース８２の代わりに関連記録部８２２を省略した画像データベース８２Ｆが採用されているとともに、サーバ側制御部８３の一部の機能が変更されている。
具体的に、本実施の形態７に係るサーバ８Ｆを構成するサーバ側制御部８３Ｆは、上述した実施の形態６で説明したサーバ側制御部８３に対して、端末判定部８３２、データ抽出部８３４、及びサーバ側表示制御部８３５を備える他、サーバ側通信制御部８３１及び画像データベース管理部８３３の一部の機能を変更したサーバ側通信制御部８３１Ｆ及び画像データベース管理部８３３Ｆを備える。
【０１７９】
サーバ側通信制御部８３１Ｆは、上述した実施の形態６で説明したサーバ側通信制御部８３１に対して、撮像装置本体４Ｆとの間で通信を行う機能が省略されている。また、サーバ側通信制御部８３１Ｆは、上述した実施の形態６で説明したサーバ側通信制御部８３１に対して、通信機器５Ｆとの間で通信接続を確立した際、データ抽出部８３４にて抽出された補助画像データを端末判定部８３２にて特定された当該通信機器５Ｆに送信する。
画像データベース管理部８３３Ｆは、上述した実施の形態６で説明した画像データベース管理部８３３に対して、撮影画像データ等を関連記録部８２２に記録する機能が省略されている。
【０１８０】
〔撮像システムの動作〕
次に、本実施の形態７に係る撮像システム１Ｆの動作について説明する。
なお、本実施の形態７に係る撮像装置本体４及び補助撮像装置９の各動作については、上述した実施の形態１で説明した撮像装置本体４の動作（図７）、及び上述した実施の形態６で説明した補助撮像装置９の動作（図３９）と同様である。このため、以下では、本実施の形態７に係る通信機器５Ｆ及びサーバ８Ｆの各動作について説明する。
【０１８１】
〔通信機器の動作〕
図４４は、通信機器５Ｆの動作を示すフローチャートである。
本実施の形態７に係る通信機器５Ｆの動作は、図４４に示すように、上述した実施の形態６で説明した通信機器５Ｅの動作（図３６）に対して、ステップＳ２１６〜Ｓ２２１を省略してステップＳ２２２〜Ｓ２３１を追加するとともに、上述した実施の形態１で説明した通信機器５Ｆの動作（図８）と同様にステップＳ２０５とステップＳ２０７との間にステップＳ２０６を実行する点が異なるのみである。このため、以下では、ステップＳ２２２〜Ｓ２３１のみを説明する。
【０１８２】
ステップＳ２２２は、撮影状況情報の生成処理（ステップＳ２０７）の後に実行される。
具体的に、撮像制御部５８２Ｆは、ステップＳ２２２において、撮影状況情報の生成処理（ステップＳ２０７）で生成された撮影状況情報（特徴情報（第２タイムスタンプを含む））と、ステップＳ２０６で撮像装置本体４から転送された撮影画像データとを関連付けて画像データ記録部５６２に記録する。この後、通信機器５Ｆは、ステップＳ２０２に戻る。
すなわち、本実施の形態７に係る画像データ記録部５６２は、本発明に係るデータ記録部としての機能を有する。
【０１８３】
ステップＳ２２３は、ステップＳ２１４で「カメラ通信モード」が選択されていないと判断された場合（ステップＳ２１４：Ｎｏ）に実行される。
具体的に、機器側制御部５８Ｆは、ステップＳ２２３において、カメラユーザによる入力部５１への操作により、「再生モード」が選択されたか否かを判断する。
「再生モード」が選択されていないと判断された場合(ステップＳ２２３：Ｎｏ)には、通信機器５Ｆは、ステップＳ２０１に戻る。
一方、「再生モード」が選択されたと判断された場合（ステップＳ２２３：Ｙｅｓ）には、機器側表示制御部５８４Ｆは、ステップＳ２２２で画像データ記録部５６２に記録された複数の撮影画像データに対応する各撮影画像を表示部５２にサムネイル表示させる（ステップＳ２２４）。
【０１８４】
続いて、機器側制御部５８Ｆは、カメラユーザによる入力部５１への表示操作（サムネイル表示された複数の撮影画像のうち一の撮影画像を拡大して表示する操作）があったか否かを判断する（ステップＳ２２５）。
すなわち、本実施の形態７に係る入力部５１は、本発明に係る表示操作部としての機能を有する。
表示操作がないと判断した場合（ステップＳ２２５：Ｎｏ）には、機器側制御部５８Ｆは、カメラユーザによる入力部５１への終了操作（再生モードを終了する操作）があったか否かを判断する（ステップＳ２２６）。
終了操作があったと判断された場合（ステップＳ２２６：Ｙｅｓ）には、通信機器５Ｆは、ステップＳ２０１に戻る。
一方、終了操作がないと判断された場合（ステップＳ２２６：Ｎｏ）には、通信機器５Ｆは、ステップＳ２２３に戻り、再生モードを継続する。
【０１８５】
ステップＳ２２５で表示操作があったと判断された場合（ステップＳ２２５：Ｙｅｓ）には、機器側表示制御部５８４Ｆは、当該表示操作に応じた表示対象である一の撮影画像データに対応する撮影画像を表示部５２に拡大表示させる（ステップＳ２２７：表示ステップ）。
すなわち、本実施の形態７に係る機器側表示制御部５８４Ｆは、本発明に係る表示制御部としての機能を有する。
続いて、機器側通信制御部５８１Ｆは、機器側記録部５６に記録された所在位置情報（ＵＲＬ）に基づいて、機器側通信部５７を介して、インターネット網Ｎに接続されたサーバ８Ｆにアクセス信号（補助画像転送要求（自身の通信機器５Ｆ（撮像装置２Ｆ）の識別情報を含む））を送信し、サーバ８Ｆとの間で通信接続を確立する（ステップＳ２２８）。
【０１８６】
続いて、機器側通信制御部５８１Ｆは、画像データ記録部５６２に記録された情報から、ステップＳ２２５での表示操作に応じた表示対象である一の撮影画像データに関連付けられた撮影状況情報（特徴情報（第２タイムスタンプを含む））を特定する。そして、機器側通信制御部５８１Ｆは、当該特定した撮影状況情報（特徴情報（第２タイムスタンプを含む））をサーバ８Ｆに送信するとともに、サーバ８Ｆから当該一の撮影画像データに関連する補助画像データを受信（取得）する（ステップＳ２２９：通信ステップ）。
続いて、撮像制御部５８２Ｆは、ステップＳ２２９で受信した補助画像データをステップＳ２２５での表示操作に応じた表示対象である一の撮影画像データに関連付けて画像データ記録部５６２に記録する（ステップＳ２３０）。
続いて、機器側表示制御部５８４Ｆは、ステップＳ２２５での表示操作に応じた表示対象である一の撮影画像データに対応する撮影画像と、ステップＳ２２９で受信した補助画像データに対応する補助画像とを並べて（例えば、図３８参照）、表示部５２に表示させる（ステップＳ２３１）。この後、通信機器５Ｆは、一定時間後、または、カメラユーザによる入力部５１への所定の操作の後、ステップＳ２２４に戻り、再度、サムネイル表示を行う。
以上説明した図４４に示した通信機器５Ｆの動作が本発明に係る表示方法に相当する。
【０１８７】
〔サーバの動作〕
図４５は、サーバ８Ｆの動作を示すフローチャートである。
本実施の形態７に係るサーバ８Ｆの動作は、図４５に示すように、上述した実施の形態６で説明したサーバ８の動作（図４０）に対して、ステップＳ４０４，Ｓ４０８〜Ｓ４１１を省略してステップＳ４１２を追加するとともに、ステップＳ４０３，Ｓ４０６の代わりにステップＳ４０３Ｆ，Ｓ４０６Ｆを追加した点が異なるのみである。このため、以下では、ステップＳ４０３Ｆ，Ｓ４０６Ｆ，Ｓ４１２のみを説明する。
【０１８８】
ステップＳ４０３Ｆは、ステップＳ４０２の後、または、ステップＳ４０１で補助画像データを受信していないと判断された場合（ステップＳ４０１：Ｎｏ）に実行される。
具体的に、サーバ側通信制御部８３１Ｆは、ステップＳ４０３Ｆにおいて、サーバ側通信部８１及びインターネット網Ｎを介して、通信機器５Ｆからアクセス信号（補助画像転送要求（送信先の通信機器５Ｆの識別情報を含む））を受信したか否かを判断する。
アクセス信号を受信していないと判断された場合（ステップＳ４０３Ｆ：Ｎｏ）には、サーバ８Ｆは、ステップＳ４０１に戻る。
一方、アクセス信号を受信したと判断された場合（ステップＳ４０３Ｆ：Ｙｅｓ）には、サーバ８Ｆは、ステップＳ４０５に移行する。
【０１８９】
ステップＳ４０６Ｆは、ステップＳ４０５の後に実行される。
具体的に、サーバ側通信制御部８３１Ｆは、ステップＳ４０６Ｆにおいて、サーバ側通信部８１及びインターネット網Ｎを介して、通信機器５Ｆから撮影状況情報（特徴情報（第２タイムスタンプを含む））を受信する。この後、サーバ８Ｆは、ステップＳ４０７に移行する。
【０１９０】
ステップＳ４１２は、ステップＳ４０７の後に実行される。
具体的に、サーバ側通信制御部８３１Ｆは、ステップＳ４１２において、サーバ側通信部８１を介して、ステップＳ４０７で抽出された補助画像データをステップＳ４０５で特定された通信機器５Ｆに送信する。この後、サーバ８Ｆは、ステップＳ４０１に戻る。
【０１９１】
以上説明した本実施の形態７に係る撮像システム１Ｆのように、通信機器５Ｆがカメラユーザによる入力部５１への表示操作に応じて、表示対象となる撮影画像データに関連する補助画像データを取得するように構成した場合であっても、上述した実施の形態１と同様の効果を奏する。
【０１９２】
（実施の形態７の変形例）
上述した実施の形態７に係る撮像システム１Ｆでは、撮影状況情報は、インカメラ画像データに含まれる撮影者に相当する被写体像の特徴に関する特徴情報を含んで構成されていたが、これに限られない。
例えば、上述した実施の形態２と同様に、インカメラ画像データを撮影状況情報としても構わない。この際、サーバ８Ｆを構成するデータ抽出部８３４に、上述した実施の形態２で説明したデータ抽出部３９２Ａと同様の機能を持たせればよい。
また、例えば、上述した実施の形態３と同様に、撮像装置２Ｆの現在位置に関する現在位置情報を含む情報を撮影状況情報としても構わない。この際、サーバ８Ｆの画像データベース管理部８３３Ｆは、補助画像データを当該補助画像データの送信元である補助撮像装置９毎に補助記録部８２１に記録する。また、サーバ８Ｆに、複数の補助撮像装置９が設置された各設置位置に関する複数の設置位置情報（経度や緯度に関する情報）を記録する位置記録部を設ける。そして、データ抽出部８３４は、撮像装置２Ｆから送信された撮影状況情報に含まれる現在位置情報、及び位置記録部に記録された複数の設置位置情報に基づいて、補助記録部８２１に記録された複数の補助画像データから、当該現在位置情報に基づく位置に最も近い位置に設置された補助撮像装置９にて撮像された補助画像データを抽出する。
【０１９３】
（その他の実施の形態）
ここまで、本発明を実施するための形態を説明してきたが、本発明は上述した実施の形態１〜７によってのみ限定されるべきものではない。
上述した実施の形態１〜６では、撮像システム１，１Ａ〜１Ｅは、データ抽出部３９２，３９２Ａ，３９２Ｂ，８３４を備え、既に撮像（生成）された複数の補助画像データから、撮影状況情報に適合した補助画像データを抽出していたが、これに限られない。
例えば、補助画像供給装置（補助撮像装置を含む）として、撮影状況情報に基づいて撮像を行って補助画像データを生成し、当該生成した補助画像データを撮像装置に供給するように構成しても構わない。具体的には、当該補助画像供給装置（補助撮像装置を含む）は、既に撮像（生成）した最新の補助画像データが撮影状況情報に適合している場合（例えば、最新の補助画像データが撮影状況情報に含まれる撮影者に相当する被写体像の特徴に関する特徴情報と略同一の特徴情報を有する被写体像を含む場合等）に、改めて撮像を行って補助画像データを生成し、当該生成した補助画像データを撮像装置に供給する。
【０１９４】
上述した実施の形態１〜７では、撮像装置２，２Ａ〜２Ｆとして、撮像装置本体４，４Ｂ，４Ｅ及び通信機器５，５Ａ〜５Ｆを含む構成を例示したが、これに限られず、撮像装置本体４，４Ｂ，４Ｅの機能と、通信機器５，５Ａ〜５Ｆの機能とを一体化したデジタルカメラ等の撮像装置で構成しても構わない。
【０１９５】
上述した実施の形態１〜７では、分かり易く、動物園での家族写真等を例にとって説明したが、複数のカメラで連携して撮影する撮像システムであれば、特定の撮影状況に応じて連携する機器を制御すればよく、監視カメラや車載カメラ等にも応用が可能である。
【０１９６】
また、処理フローは、上述した実施の形態１〜７で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１９７】
１，１Ａ〜１Ｆ  撮像システム
２，２Ａ〜２Ｆ  撮像装置
３，３Ａ，３Ｂ，３Ｅ，３Ｆ  補助画像供給装置
４，４Ｂ，４Ｅ  撮像装置本体
５，５Ａ〜５Ｆ  通信機器
６  アタッチメント
６Ａ  取付用孔
７  コード情報表示装置
８，８Ｆ  サーバ
９  補助撮像装置
３１  供給側光学系
３２  供給側駆動部
３３  供給側位置検出部
３４  供給側時計部
３５  供給側撮像部
３６  供給側メモリ部
３７，３７Ｂ，３７Ｅ  供給側記録部
３８  供給側通信部
３９，３９Ａ，３９Ｂ，３９Ｅ  供給側制御部
４０  レンズ鏡筒
４１  本体側光学系
４２  本体側駆動部
４３  本体側位置検出部
４４  操作部
４５  本体側時計部
４６  本体側撮像部
４７  本体側メモリ部
４８  本体側記録部
４９  本体側通信部
５０，５０Ｂ，５０Ｅ  本体側制御部
５１  入力部
５２  表示部
５３  機器側時計部
５４  機器側撮像部
５５  機器側メモリ部
５６  機器側記録部
５７  機器側通信部
５８，５８Ａ〜５８Ｆ  機器側制御部
５９  位置取得部
８１  サーバ側通信部
８２，８２Ｆ  画像データベース
８３，８３Ｆ  サーバ側制御部
３１１，４１１  ズームレンズ
３１２，４１２  フォーカスレンズ
３２１，４２１  ズーム駆動部
３２２，４２２  フォーカス駆動部
３３１，４３１  ズーム位置検出部
３３２，４３２  フォーカス位置検出部
３７１  補助記録部
３７２  位置記録部
３９１，３９１Ｂ，３９１Ｅ  供給側通信制御部
３９２，３９２Ａ，３９２Ｂ  データ抽出部
３９３  判定部
５４１  光学系
５６１  プログラム記録部
５６２  画像データ記録部
５８１，５８１Ｂ，５８１Ｃ，５８１Ｅ，５８１Ｆ  機器側通信制御部
５８２，５８２Ｂ，５８２Ｅ，５８２Ｆ  撮像制御部
５８３，５８３Ａ，５８３Ｂ  撮影状況情報生成部
５８４，５８４Ｅ，５８４Ｆ  機器側表示制御部
５８５，５８５Ｄ  通信仕様情報取得部
８２１  補助記録部
８２２  関連記録部
８３１，８３１Ｆ  サーバ側通信制御部
８３２  端末判定部
８３３，８３３Ｆ  画像データベース管理部
８３４  データ抽出部
８３５  サーバ側表示制御部
Ａ１〜Ａ５  操作アイコン
Ｔ１  タイトル画像
Ｘ  カメラユーザ
Ｙ  被写体
Ｗ１  初期画面
Ｗ２  アルバム表示ページ
Ｗ１００  撮影画像
Ｗ２００  インカメラ画像
Ｗ３００  補助画像
【図１】
2015201754.tif 000003
【図２】
2015201754.tif 000004
【図３】
2015201754.tif 000005
【図４】
2015201754.tif 000006
【図５】
2015201754.tif 000007
【図６Ａ】
2015201754.tif 000008
【図６Ｂ】
2015201754.tif 000009
【図６Ｃ】
2015201754.tif 000010
【図７】
2015201754.tif 000011
【図８】
2015201754.tif 000012
【図９】
2015201754.tif 000013
【図１０】
2015201754.tif 000014
【図１１】
2015201754.tif 000015
【図１２】
2015201754.tif 000016
【図１３】
2015201754.tif 000017
【図１４】
2015201754.tif 000018
【図１５】
2015201754.tif 000019
【図１６】
2015201754.tif 000020
【図１７】
2015201754.tif 000021
【図１８】
2015201754.tif 000022
【図１９】
2015201754.tif 000023
【図２０】
2015201754.tif 000024
【図２１】
2015201754.tif 000025
【図２２】
2015201754.tif 000026
【図２３】
2015201754.tif 000027
【図２４】
2015201754.tif 000028
【図２５】
2015201754.tif 000029
【図２６】
2015201754.tif 000030
【図２７】
2015201754.tif 000031
【図２８】
2015201754.tif 000032
【図２９】
2015201754.tif 000033
【図３０】
2015201754.tif 000034
【図３１】
2015201754.tif 000035
【図３２】
2015201754.tif 000036
【図３３】
2015201754.tif 000037
【図３４】
2015201754.tif 000038
【図３５】
2015201754.tif 000039
【図３６】
2015201754.tif 000040
【図３７】
2015201754.tif 000041
【図３８】
2015201754.tif 000042
【図３９】
2015201754.tif 000043
【図４０】
2015201754.tif 000044
【図４１】
2015201754.tif 000045
【図４２】
2015201754.tif 000046
【図４３】
2015201754.tif 000047
【図４４】
2015201754.tif 000048
【図４５】
2015201754.tif 000049